(57)【特許請求の範囲】
【請求項１】
物体側から像側に順に、正屈折力の第１正レンズ群と、負屈折力の第１負レンズ群と、広角端において正屈折力のリアレンズ群グループを有し、
前記リアレンズ群グループは、正屈折力の第２正レンズ群と、前記第２正レンズ群よりも像側に配置された第２負レンズ群と、前記第２負レンズ群よりも像側に配置された第３正レンズ群を有し、
さらに、前記第１負レンズ群と前記第２負レンズ群との間に配置された明るさ絞りを有し、
広角端から望遠端への変倍の際に、
前記第１正レンズ群から前記第１負レンズ群までの距離が増加し、
前記第１負レンズ群から前記第２正レンズ群までの距離が減少し、
前記第２正レンズ群から前記第２負レンズ群までの距離が変化し、
前記第２負レンズ群から前記第３正レンズ群までの距離が変化し、
前記第１正レンズ群は、負屈折力の負レンズ副群と、その負屈折力の負レンズ副群よりも像側に配置された正屈折力の正レンズ副群を有し、且つ、前記第１正レンズ群中のレンズ副群の総数は２であり、
前記第１負レンズ群は、負屈折力の負レンズ副群と、その負屈折力の負レンズ副群よりも像側に配置された正屈折力の正レンズ副群を有し、且つ、前記第１負レンズ群中のレンズ副群の総数は２であり、且つ、前記第１負レンズ群中のレンズ副群は全て単レンズであり、
前記第１負レンズ群は、以下の条件式（１）を満足することを特徴とするズームレンズ。
０．２０≦Ｄ２ｂ／Ｈｗ≦０．９                  （１）
ただし、
Ｄ２ｂは、前記第１負レンズ群中の前記負屈折力の負レンズ副群の像側面から前記正屈折力の正レンズ副群の物体側面までの光軸上の距離、
Ｈｗは、Ｈｗ＝ｆｗ・tan（ωｗ)にて定義され、
ｆｗは、広角端での前記ズームレンズ全系の焦点距離、
ωｗは、広角端での前記明るさ絞りの中心を通過して有効撮像領域の最大像高位置に入射する光線が、前記ズームレンズに入射するときの光軸に対する半画角、
である。
【請求項２】
物体側から像側に順に、正屈折力の第１正レンズ群と、負屈折力の第１負レンズ群と、広角端において正屈折力のリアレンズ群グループを有し、
前記リアレンズ群グループは、正屈折力の第２正レンズ群と、前記第２正レンズ群よりも像側に配置された第２負レンズ群と、前記第２負レンズ群よりも像側に配置された第３正レンズ群を有し、
さらに、前記第１負レンズ群と前記第２正レンズ群との間に配置された明るさ絞りを有し、
広角端から望遠端への変倍の際に、
前記第１正レンズ群から前記第１負レンズ群までの距離が増加し、
前記第１負レンズ群から前記第２正レンズ群までの距離が減少し、
前記第２正レンズ群から前記第２負レンズ群までの距離が変化し、
前記第２負レンズ群から前記第３正レンズ群までの距離が変化し、
前記第１正レンズ群は、負屈折力の負レンズ副群と、その負屈折力の負レンズ副群よりも像側に配置された正屈折力の正レンズ副群を有し、且つ、前記第１正レンズ群中のレンズ副群の総数は２であり、
前記第１負レンズ群は、負屈折力の負レンズ副群と、その負屈折力の負レンズ副群よりも像側に配置された正屈折力の正レンズ副群を有し、且つ、前記第１負レンズ群中のレンズ副群の総数は２であり、且つ、前記第１負レンズ群中のレンズ副群は全て単レンズであり、
前記第２正レンズ群は、正屈折力の正レンズ副群と第２レンズ副群とからなり、
前記第２正レンズ群中の前記正レンズ副群と前記第２レンズ副群は、それぞれ１つのレンズ成分からなり、
前記明るさ絞りから前記第２正レンズ群までの光軸上での距離は望遠端に対して広角端で広がり、
前記第１正レンズ群は、以下の条件式（２）を満足することを特徴とするズームレンズ。
３．１≦ｆＰ１／Ｈｗ≦５．８                        （２）
ただし、
ｆＰ１は、前記第１正レンズ群の焦点距離、
Ｈｗは、Ｈｗ＝ｆｗ・tan（ωｗ)にて定義され、
ｆｗは、広角端での前記ズームレンズ全系の焦点距離、
ωｗは、広角端での前記明るさ絞りの中心を通過して有効撮像領域の最大像高位置に入射する光線が、前記ズームレンズに入射するときの光軸に対する半画角、
である。
ここで、レンズ成分とは、有効面にて物体側面と像側面の２つの面のみが空気と接するレンズブロックと定義する。
【請求項３】
物体側から像側に順に、正屈折力の第１正レンズ群と、負屈折力の第１負レンズ群と、広角端において正屈折力のリアレンズ群グループを有し、
前記リアレンズ群グループは、正屈折力の第２正レンズ群と、前記第２正レンズ群よりも像側に配置された第２負レンズ群と、前記第２負レンズ群よりも像側に配置された第３正レンズ群を有し、
前記第１負レンズ群と前記第２正レンズ群は、間に他のレンズ群を挟まずに配置され、
さらに、前記第１負レンズ群と前記第２正レンズ群との間に配置された明るさ絞りを有し、
広角端から望遠端への変倍の際に、
前記第１正レンズ群から前記第１負レンズ群までの距離が増加し、
前記第１負レンズ群から前記第２正レンズ群までの距離が減少し、
前記第２正レンズ群から前記第２負レンズ群までの距離が変化し、
前記第２負レンズ群から前記第３正レンズ群までの距離が変化し、
前記第１正レンズ群は、負屈折力の負レンズ副群と、その負屈折力の負レンズ副群よりも像側に配置された正屈折力の正レンズ副群を有し、且つ、前記第１正レンズ群中のレンズ副群の総数は２であり、
前記第１負レンズ群は、負屈折力の負レンズ副群と、その負屈折力の負レンズ副群よりも像側に配置された正屈折力の正レンズ副群を有し、且つ、前記第１負レンズ群中のレンズ副群の総数は２であり、且つ、前記第１負レンズ群中のレンズ副群は全て単レンズであり、
前記第２正レンズ群は、正屈折力の正レンズ副群と第２レンズ副群とからなり、
前記第２正レンズ群中の前記正レンズ副群と前記第２レンズ副群は、それぞれ１つのレンズ成分からなり、
前記明るさ絞りから前記第２正レンズ群までの光軸上での距離は、望遠端に対して広角端で広がることを特徴とするズームレンズ。
ここで、レンズ成分とは、有効面にて物体側面と像側面の２つの面のみが空気と接するレンズブロックと定義する。
【請求項４】
前記第１正レンズ群は反射部材を有し、
該反射部材は、前記第１正レンズ群の前記負レンズ副群と前記正レンズ副群の間に配置されていることを特徴とする請求項１から請求項３のいずれか１項に記載のズームレンズ。
【請求項５】
前記第１レンズ群は、変倍中、結像位置に対して固定であることを特徴とする請求項１から請求項３のいずれか１項に記載のズームレンズ。
【請求項６】
前記第１負レンズ群と前記第２正レンズ群は、間に他のレンズ群を挟まずに配置されることを特徴とする請求項１または請求項２に記載のズームレンズ。
【請求項７】
前記明るさ絞りは、前記第１負レンズ群と前記第２正レンズ群との間に配置されることを特徴とする請求項１に記載のズームレンズ。
【請求項８】
前記明るさ絞りから前記第２正レンズ群までの光軸上での距離は、望遠端に対して広角端で広がることを特徴とする請求項１に記載のズームレンズ。
【請求項９】
前記明るさ絞りは、変倍中、結像位置に対して固定であることを特徴とする請求項１から請求項８のいずれか１項に記載のズームレンズ。
【請求項１０】
前記第１正レンズ群中の負レンズ副群と正レンズ副群は、共に１つのレンズ成分からなることを特徴とする請求項１から請求項９のいずれか１項に記載のズームレンズ。
【請求項１１】
前記第１正レンズ群中の負レンズ副群と正レンズ副群は、単レンズであることを特徴とする請求項１から請求項１０のいずれか１項に記載のズームレンズ。
【請求項１２】
前記第２正レンズ群は、正屈折力の正レンズ副群と、その正屈折力の正レンズ副群よりも像側に配置された第２レンズ副群を有し、
前記第２レンズ副群は、前記第２正レンズ群中の正レンズ副群の屈折力絶対値よりも小さい屈折力絶対値を持ち、且つ、
前記第２正レンズ群中のレンズ副群の総数は２であることを特徴とする請求項１から請求項１１のいずれか１項に記載のズームレンズ。
【請求項１３】
前記第２正レンズ群中の第２レンズ副群は、負屈折力の負レンズ副群であることを特徴とする請求項１２に記載のズームレンズ。
【請求項１４】
前記第２正レンズ群中の正レンズ副群と第２レンズ副群は、それぞれ１つのレンズ成分であることを特徴とする請求項１２または請求項１３に記載のズームレンズ。
ここで、レンズ成分とは、有効面にて物体側面と像側面の２つの面のみが空気と接するレンズブロックと定義する。
【請求項１５】
前記第１正レンズ群及び前記第１負レンズ群中のレンズのうち少なくとも１つのレンズが、以下の条件式（６）を満足する第１の比重の小さいレンズであり、
前記第１正レンズ群、前記第１負レンズ群、前記第２正レンズ群、及び前記第２負レンズ群中のレンズのうち少なくとも１つのレンズが、前記第１の比重の小さいレンズの屈折力とは異なる符号の屈折力を持ち、且つ以下の条件式（６）を満足する前記第２の比重の小さいレンズであることを特徴とする請求項１から請求項３のいずれか１項に記載のズームレンズ。
０．９ｇ／ｃｍ３≦ＳＧ≦２．０ｇ／ｃｍ３            （６）
ただし、
ＳＧは、前記第１の比重の小さいレンズ、前記第２の比重の小さいレンズのそれぞれの比重、
である。
【請求項１６】
前記第１の比重の小さいレンズ及び前記第２の比重の小さいレンズが、以下の条件式（７）を満足することを特徴とする請求項１５に記載のズームレンズ。
１．４５≦ｎｄＰＬ≦１．８          （７）
ただし、
ｎｄＰＬは、前記第１の比重の小さいレンズ、前記第２の比重の小さいレンズのｄ線に対する屈折率、
である。
【請求項１７】
前記第２の比重の小さいレンズが、前記第１正レンズ群及び前記第１負レンズ群のいずれかに含まれることを特徴とする請求項１６に記載のズームレンズ。
【請求項１８】
前記第２負レンズ群が、遠距離物体から近距離物体へのフォーカシングの際に像側に移動することを特徴とする請求項１から請求項１７のいずれか１項に記載のズームレンズ。
【請求項１９】
前記第２負レンズ群が、以下の条件式（３）を満足することを特徴とする請求項１から請求項１８のいずれか１項に記載のズームレンズ。
２．０≦｜ｆＮ２／Ｈｔ｜≦４．５                （３）
ただし、
ｆＮ２は、前記第２負レンズ群の焦点距離、
Ｈｔは、Ｈｔ＝ｆｔ・tan（ωｔ)にて定義され、
ｆｔは、望遠端での前記ズームレンズ全系の焦点距離、
ωｔは、望遠端での前記明るさ絞りの中心を通過して有効撮像領域の最大像高位置に入射する光線が、前記ズームレンズに入射するときの光軸に対する半画角、
である。
【請求項２０】
前記第２負レンズ群が、以下の条件式（４）を満足することを特徴とする請求項１から請求項１８のいずれか１項に記載のズームレンズ。
０．３≦｜ｆＮ２／ｆｔ｜≦０．７            （４）
ただし、
ｆＮ２は、前記第２負レンズ群の焦点距離、
ｆｔは、望遠端での前記ズームレンズ全系の焦点距離、
である。
【請求項２１】
前記第１負レンズ群が、以下の条件式（１）を満足することを特徴とする請求項２または請求項３に記載のズームレンズ。
０．２０≦Ｄ２ｂ／Ｈｗ≦０．９                  （１）
ただし、
Ｄ２ｂは、前記第１負レンズ群中の前記負屈折力の負レンズ副群の像側面から前記正屈折力の正レンズ副群の物体側面までの光軸上の距離、
Ｈｗは、Ｈｗ＝ｆｗ・tan（ωｗ)にて定義され、
ｆｗは、広角端での前記ズームレンズ全系の焦点距離、
ωｗは、広角端での前記明るさ絞りの中心を通過して有効撮像領域の最大像高位置に入射する光線が、前記ズームレンズに入射するときの光軸に対する半画角、
である。
【請求項２２】
前記第１正レンズ群が、以下の条件式（５）を満足することを特徴とする請求項１から請求項２１のいずれか１項に記載のズームレンズ。
０．２≦Ｄ１ｂ／ｆＰ１≦０．６                            （５）
ただし、
Ｄ１ｂは、前記第１正レンズ群中の負屈折力の負レンズ副群の像側面から前記正屈折力の正レンズ副群の物体側面までの光軸に沿った空気換算距離、
ｆＰ１は、前記第１正レンズ群の焦点距離、
である。
【請求項２３】
前記第１正レンズ群中のレンズ副群は、全て単レンズであることを特徴とする請求項１から請求項２２のいずれか１項に記載のズームレンズ。
【請求項２４】
前記第１正レンズ群中の負レンズ副群の最も物体側のレンズ面は、物体側に凹のレンズ面であることを特徴とする請求項１から請求項２３のいずれか１項に記載のズームレンズ。
【請求項２５】
前記第１負レンズ群が、以下の条件式（８）を満足することを特徴とする請求項１から請求項２４のいずれか１項に記載のズームレンズ。
０．４５≦｜ｆＮ１ｎ｜×ｆＮ１ｐ／ｆＮ１２≦１．８        （８）
ただし、
ｆＮ１ｎは、前記第１負レンズ群中の負レンズ副群の焦点距離、
ｆＮ１ｐは、前記第１負レンズ群中の正レンズ副群の焦点距離、
ｆＮ１は、前記第１負レンズ群の焦点距離、
である。
【請求項２６】
請求項１から請求項２５のいずれか１項に記載のズームレンズと、前記ズームレンズの像側に配置された撮像素子とを有することを特徴とする撮像装置。
【発明の詳細な説明】
【技術分野】
【０００１】
本発明は、ズームレンズ、およびこのズームレンズを備えた撮像装置に関するものである。
【背景技術】
【０００２】
デジタルカメラの様な電子撮像系を用いたカメラには、小型化・軽量化・低コスト化が求められている。このデジタルカメラの光学系として、光路折り曲げ式のズームレンズが知られている。光路折り曲げ式のズームレンズでは光路が折り曲げられているので、このようなズームレンズを使用することで、デジタルカメラの厚みを薄くすることができる。この光路折り曲げ式のズームレンズの例として、特許文献１〜３のズームレンズが知られている。
【０００３】
特許文献１のズームレンズは、正の屈折力を有する第１レンズ群と、負の屈折力を有する第２レンズ群と、正の屈折力を有する第３レンズ群と、負の屈折力を有する第４レンズ群と、正の屈折力を有する第５レンズ群で構成されている。実施例１には、レンズ枚数が１０枚で、広角端の半画角が３１度で、変倍比が３倍を若干下回るズームレンズが開示されている。
【０００４】
特許文献２のズームレンズは、正の屈折力を有する第１レンズ群と、負の屈折力を有する第２レンズ群と、正の屈折力を有する第３レンズ群と、負の屈折力を有する第４レンズ群と、正の屈折力を有する第５レンズ群で構成されている。実施例１には、レンズ枚数が１０枚で、広角端の半画角が４０度で、変倍比が５倍を若干上回るズームレンズが開示されている。
【０００５】
特許文献３のズームレンズは、正の屈折力を有する第１レンズ群と、負の屈折力を有する第２レンズ群と、正の屈折力を有する第３レンズ群と、負の屈折力を有する第４レンズ群と、正の屈折力を有する第５レンズ群で構成されている。実施例１には、レンズ枚数が１３枚で、広角端の半画角が４０度で、変倍比が６倍を上回るズームレンズが開示されている。
【先行技術文献】
【特許文献】
【０００６】
【特許文献１】特開２００５−２１５１６５号公報
【特許文献２】特開２０１１−０９５５０４号公報
【特許文献３】特開２００９−１３９７７０号公報
【発明の概要】
【発明が解決しようとする課題】
【０００７】
ズームレンズには、広い画角や高い変倍比の確保が要求されるが、同時に、小型化、コスト低減、光学性能の維持も要求される。
【０００８】
しかしながら、特許文献１に開示されたズームレンズでは、負の屈折力を有する第２レンズ群（第１負レンズ群）を構成するレンズの間隔が小さいため、負の屈折力を有する第２レンズ群（第１負レンズ群）で良好な光学性能を得にくい。また、広画角化しようとすると、正の屈折力を有する第１レンズ群（第１正レンズ群）が大きくなりやすい。また、比重の大きいガラスレンズを多用しているため、コストの上昇や、重量増加により衝撃が加わった時に偏心が生じやすい。
【０００９】
また、特許文献２に開示されたズームレンズでは、負の屈折力を有する第２レンズ群（第１負レンズ群）を構成するレンズの間隔が小さいため、負の屈折力を有する第２レンズ群（第１負レンズ群）で良好な光学性能を得にくい。また、広角端での広い画角の確保のために、高屈折率のガラスを多用して小型化をしているため、コスト面で不利である。また、比重の大きいガラスを多用しているため、軽量化が困難で、衝撃が加わった時に偏心が生じやすくなる。
【００１０】
また、特許文献３に開示されたズームレンズは、レンズ枚数が１３枚と多く、ガラス材料を多用していることから、低コスト化や軽量化には不向きである。特に、正の屈折力を有する第１レンズ群（第１正レンズ群）や、負の屈折力を有する第２レンズ群（第１負レンズ群）では、レンズの径が大きくなりやすいが、これらのレンズ群におけるレンズ枚数が多いため、衝撃が加わった時に偏心による影響を受けやすい。
【００１１】
本発明は、このような課題に鑑み、高い変倍比を確保しながら、小型軽量で、コストが低減され、所定の負屈折力のレンズ群の偏心による影響を考慮した、光学性能の維持に有利なズームレンズを提供することを第１の目的とする。
【００１２】
また、本発明は、広角端における広い画角と高い変倍比を確保しながら、所定の正屈折力のレンズ群が小型軽量で、コストが低減され、良好な光学性能の維持に有利なズームレンズを提供することを第２の目的とする。
【００１３】
また、本発明は、高い変倍比を確保しながら、小型軽量で、コストが低減され、温度変化に対する光学性能の維持に有利なズームレンズを提供することを第３の目的とする。
【課題を解決するための手段】
【００１４】
上述した課題を解決し、第１の目的を達成するために、第１の発明のズームレンズは、物体側から像側に順に、正屈折力の第１正レンズ群と、負屈折力の第１負レンズ群と、広角端において正屈折力のリアレンズ群グループを有し、
前記リアレンズ群グループは、正屈折力の第２正レンズ群と、前記第２正レンズ群よりも像側に配置された第２負レンズ群と、前記第２負レンズ群よりも像側に配置された第３正レンズ群を有し、
さらに、前記第１負レンズ群と前記第２負レンズ群との間に配置された明るさ絞りを有し、
広角端から望遠端への変倍の際に、
前記第１正レンズ群から前記第１負レンズ群までの距離が増加し、
前記第１負レンズ群から前記第２正レンズ群までの距離が減少し、
前記第２正レンズ群から前記第２負レンズ群までの距離が変化し、
前記第２負レンズ群から前記第３正レンズ群までの距離が変化し、
前記第１正レンズ群は、負屈折力の負レンズ副群と、その負屈折力の負レンズ副群よりも像側に配置された正屈折力の正レンズ副群を有し、且つ、前記第１正レンズ群中のレンズ副群の総数は２であり、
前記第１負レンズ群は、負屈折力の負レンズ副群と、その負屈折力の負レンズ副群よりも像側に配置された正屈折力の正レンズ副群を有し、且つ、前記第１負レンズ群中のレンズ副群の総数は２であり、且つ、前記第１負レンズ群中のレンズ副群は全て単レンズであり、
前記第１負レンズ群は、以下の条件式（１）を満足することを特徴とする。
０．２０≦Ｄ２ｂ／Ｈｗ≦０．９                  （１）
ただし、
Ｄ２ｂは、前記第１負レンズ群中の前記負屈折力の負レンズ副群の像側面から前記正屈
折力の正レンズ副群の物体側面までの光軸上の距離、
Ｈｗは、Ｈｗ＝ｆｗ・tan（ωｗ)にて定義され、
ｆｗは、広角端での前記ズームレンズ全系の焦点距離、
ωｗは、広角端での前記明るさ絞りの中心を通過して有効撮像領域の最大像高位置に入射する光線が、前記ズームレンズに入射するときの光軸に対する半画角、
である。
【００１５】
第１の発明のズームレンズは、物体側から像側に順に、正屈折力の第１正レンズ群と、負屈折力の第１負レンズ群と、広角端において正屈折力のリアレンズ群グループ（以下、全ての発明の説明において「正屈折力のリアレンズ群グループ」という）を有している。第１の発明のズームレンズでは、望遠端での光学系のレンズ構成がテレフォトタイプの構成になるため、ズームレンズ全長の短縮化に有利となる。
【００１６】
また、第１の発明のズームレンズでは、第２正レンズ群よりも像側に第２負レンズ群が配置され、更にその像側に第３正レンズ群が配置されている。このような配置にすることで、第２正レンズ群の屈折力と第２負レンズ群の屈折力の絶対値を大きくできるので、射出瞳を像面から遠ざけることに有利となる。しかも、第２正レンズ群と第２負レンズ群にて変倍作用を分担することができるので、高変倍比化とリアレンズ群グループの小径化にも有利となる。
【００１７】
また、第１の発明のズームレンズでは、第１負レンズ群と第２負レンズ群との間に明るさ絞りを配置しているので、ズームレンズの中心付近に明るさ絞りが位置することになる。そのため、明るさ絞りを挟んで物体側が正屈折力・負屈折力、像側が負屈折力・正屈折力というように、屈折力の正負の並び、すなわち屈折力の配置が明るさ絞りを挟んで対称的になる。この対称的な屈折力の配置により、軸外の収差変動を打ち消すことができるので、変倍時の非点収差やコマ収差などの軸外収差の補正に有利となる。これにより、広角端での広画角化にもつながる。
【００１８】
また、変倍時の各レンズ群の動きを上述のようにすることで、第１負レンズ群と第２正レンズ群の変倍作用を十分に確保することができる。そのため、第１の発明のズームレンズでは、ズームレンズ全長の短縮化と高変倍比化の両立に有利となる。
【００１９】
ところで、第１正レンズ群は、他のレンズ群に比べてレンズ径が大きくなりやすい。そこで、第１の発明のズームレンズでは、第１正レンズ群を上述の構成にすることで、第１正レンズ群で入射瞳を物体側に近づけるようにしている。これにより、第１正レンズ群を小径にすることができる。また、第１正レンズ群のレンズ径を小さくできるので、光学系の軽量化も実現できる。また、第１正レンズ群の像側主点を第１負レンズ群側に近づけることができるので、望遠端での長焦点距離化に有利となる。
【００２０】
また、第１正レンズ群と第１負レンズ群は、他のレンズ群に比べて体積が大きくなりやすい。そこで、第１の発明のズームレンズでは、上述のように、屈折力の配置が明るさ絞りを挟んで対称的になるようにしている。これにより、第１正レンズ群と第１負レンズ群における軸外収差補正の負担を軽減できる。そのため、第１正レンズ群と第１負レンズ群中のレンズ副群の総数をそれぞれ２つにしても、球面収差を含む諸収差の補正を良好に行うことができる。その結果、第１正レンズ群と第１負レンズ群の体積を小さくできる。また、高性能でありながらズームレンズの小型化に有利となる。特に第１負レンズ群を２枚の単レンズで構成することで、ズームレンズの小型化や、コスト低減に有利となる。
【００２１】
そして、第１の発明のズームレンズでは、第１負レンズ群が以下の条件式（１）を満足する。
０．２０≦Ｄ２ｂ／Ｈｗ≦０．９                  （１）
ただし、
Ｄ２ｂは、第１負レンズ群中の負屈折力の負レンズ副群の像側面から正屈折力の正レンズ副群の物体側面までの光軸上の距離、
Ｈｗは、Ｈｗ＝ｆｗ・tan（ωｗ)にて定義され、
ｆｗは、広角端でのズームレンズ全系の焦点距離、
ωｗは、広角端での明るさ絞りの中心を通過して有効撮像領域の最大像高位置に入射する光線が、ズームレンズに入射するときの光軸に対する半画角、
である。
【００２２】
条件式（１）は、第１負レンズ群を構成する２つの副群（２枚の単レンズ）の軸上における間隔を特定するものである。この軸上間隔を適切に確保することで、２つのレンズ副群を２枚の単レンズで構成しても、変倍範囲の全域で良好な光学性能が確保できると共に、製造誤差の影響を少なく抑えることが可能となる。
【００２３】
ここで、条件式（１）の下限を下回らないように２つの副群（２枚の単レンズ）の間隔を適切に確保することで、第１負レンズ群の正レンズ副群の屈折力が、負レンズ副群の屈折力の絶対値に対して過剰に大きくなることを抑えることができる。これにより、広角端付近での像面湾曲の変動を良好に補正できると共に、望遠端付近での球面収差とコマ収差を良好に補正することができる。その結果、光学系を高変倍比化しても、変倍域全域で良好な光学性能を確保することができる。
【００２４】
また、条件式（１）の上限を上回らないように２つの副群（２枚の単レンズ）の間隔を抑えることで、第１負レンズ群の負レンズ副群の屈折力の絶対値が、正レンズ副群の屈折力に対して過剰に大きくなることを抑えることができる。これにより、広角端付近での像面湾曲がプラス傾向となることを抑えられると共に、望遠端付近での球面収差がオーバー傾向となることを抑えることができる。その結果、変倍域全域で良好な光学性能を確保することができる。
【００２５】
このように、第１負レンズ群の２つの副レンズ群（２枚の単レンズ）の間隔を、条件式（１）の上下限値で決まる範囲内となるようにすることで、第１負レンズ群で発生する諸収差を低減できる。それによって、光学性能への影響が大きい製造誤差の一つである偏心が生じた場合でも、第１負レンズ群自体に加え、その影響が及びやすい前後のレンズ群との合成系の性能劣化を低減できる。また、レンズの径が大きくなりやすい第１正レンズ群と第１負レンズ群の構成を簡素化できるので、全体的にズームレンズの小型軽量化が図れると共に、衝撃が加わった時の光学性能の保証が容易となる。
【００２６】
また、第２の目的を達成するための、第２の発明のズームレンズは、物体側から像側に順に、正屈折力の第１正レンズ群と、負屈折力の第１負レンズ群と、正屈折力のリアレンズ群グループを有し、
前記リアレンズ群グループは、正屈折力の第２正レンズ群と、前記第２正レンズ群よりも像側に配置された第２負レンズ群と、前記第２負レンズ群よりも像側に配置された第３正レンズ群を有し、
さらに、前記第１負レンズ群と前記第２正レンズ群との間に配置された明るさ絞りを有し、
広角端から望遠端への変倍の際に、
前記第１正レンズ群から前記第１負レンズ群までの距離が増加し、
前記第１負レンズ群から前記第２正レンズ群までの距離が減少し、
前記第２正レンズ群から前記第２負レンズ群までの距離が変化し、
前記第２負レンズ群から前記第３正レンズ群までの距離が変化し、
前記第１正レンズ群は、負屈折力の負レンズ副群と、その負屈折力の負レンズ副群よりも像側に配置された正屈折力の正レンズ副群を有し、且つ、前記第１正レンズ群中のレンズ副群の総数は２であり、
前記第１負レンズ群は、負屈折力の負レンズ副群と、その負屈折力の負レンズ副群よりも像側に配置された正屈折力の正レンズ副群を有し、且つ、前記第１負レンズ群中のレンズ副群の総数は２であり、且つ、前記第１負レンズ群中のレンズ副群は全て単レンズであり、
前記第２正レンズ群は、正屈折力の正レンズ副群と第２レンズ副群とからなり、
前記第２正レンズ群中の前記正レンズ副群と前記第２レンズ副群は、それぞれ１つのレンズ成分からなり、
前記明るさ絞りから前記第２正レンズ群までの光軸上での距離は望遠端に対して広角端で広がり、
前記第１正レンズ群は、以下の条件式（２）を満足することを特徴とする。
３．１≦ｆＰ１／Ｈｗ≦５．８                        （２）
ただし、
ｆＰ１は、前記第１正レンズ群の焦点距離、  
Ｈｗは、Ｈｗ＝ｆｗ・tan（ωｗ)にて定義され、
ｆｗは、広角端での前記ズームレンズ全系の焦点距離、
ωｗは、広角端での前記明るさ絞りの中心を通過して有効撮像領域の最大像高位置に入射する光線が、前記ズームレンズに入射するときの光軸に対する半画角、
である。
ここで、レンズ成分とは、有効面にて物体側面と像側面の２つの面のみが空気と接するレンズブロックと定義する。
【００２７】
第２の発明のズームレンズは、物体側から像側に順に、正屈折力の第１正レンズ群と、負屈折力の第１負レンズ群と、正屈折力のリアレンズ群グループを有している。第２の発明のズームレンズでは、望遠端での光学系のレンズ構成がテレフォトタイプの構成になるため、ズームレンズ全長の短縮化に有利となる。
【００２８】
また、第２の発明のズームレンズでは、第２正レンズ群よりも像側に第２負レンズ群が配置され、更にその像側に第３正レンズ群が配置されている。このような配置にすることで、第２正レンズ群の屈折力と第２負レンズ群の屈折力の絶対値を大きくできるので、射出瞳を像面から遠ざけることに有利となる。しかも、第２正レンズ群と第２負レンズ群にて変倍作用を分担することができるので、高変倍比化とリアレンズ群グループの小径化にも有利となる。
【００２９】
また、第２の発明のズームレンズでは、第１負レンズ群と第２正レンズ群との間に明るさ絞りを配置しているので、ズームレンズの中心付近に明るさ絞りが位置することになる。そのため、明るさ絞りを挟んで物体側が正屈折力・負屈折力、像側が負屈折力・正屈折力というように、屈折力の正負の並び、すなわち屈折力の配置が明るさ絞りを挟んで対称的になる。この対称的な屈折力の配置により、軸外の収差変動を打ち消すことができるので、変倍時の非点収差やコマ収差などの軸外収差の補正に有利となる。これにより、広角端での広画角化にもつながる。
【００３０】
また、変倍時の各レンズ群の動きを上述のようにすることで、第１負レンズ群と第２正レンズ群の変倍作用を十分に確保することができる。そのため、第２の発明のズームレンズでは、ズームレンズ全長の短縮化と高変倍比化の両立に有利となる。
【００３１】
ところで、第１正レンズ群は、他のレンズ群に比べてレンズ径が大きくなりやすい。そこで、第２の発明のズームレンズでは、第１正レンズ群を上述の構成にすることで、第１正レンズ群で入射瞳を物体側に近づけるようにしている。これにより、第１正レンズ群を小径にすることができる。また、第１正レンズ群のレンズ径を小さくできるので、光学系の軽量化も実現できる。また、第１正レンズ群の像側主点を第１負レンズ群側に近づけることができるので、望遠端での長焦点距離化に有利となる。
【００３２】
また、第１正レンズ群と第１負レンズ群は、他のレンズ群に比べて体積が大きくなりやすい。そこで、第２の発明のズームレンズでは、上述のように、屈折力の配置が明るさ絞りを挟んで対称的になるようにしている。これにより、第１正レンズ群と第１負レンズ群における軸外収差補正の負担を軽減できる。そのため、第１正レンズ群と第１負レンズ群中のレンズ副群の総数をそれぞれ２つにしても、球面収差を含む諸収差の補正を良好に行うことができる。その結果、第１正レンズ群と第１負レンズ群の体積を小さくできる。また、高性能でありながらズームレンズの小型化に有利となる。
【００３３】
なお、第１負レンズ群を、物体側から負レンズ副群、正レンズ副群の順に配置とすることで、第２正レンズ群の物体側の明るさ絞りに対するズームレンズ全系の屈折力配置の対称性が一層良好となる。特に第１負レンズ群を２つの単レンズとすることで小型化、コスト低減に有利となる。
【００３４】
また、第２の発明のズームレンズでは、明るさ絞りから第２正レンズ群までの距離は、望遠端に対して広角端で長くなる。このようすることで、明るさ絞りに対するズームレンズ全系の屈折力配置を、更に対称配置に近づけやすくなる。また、第１負レンズ群と第２正レンズ群は変倍作用が大きくなりやすいが、このようにすることで、この第１負レンズ群と第２正レンズ群における残存収差を相殺しやすくなる。その結果、広角端付近での収差、主に非点収差などの軸外収差や、望遠端付近での収差、主にコマ収差などの軸外収差の補正に有利となる。
【００３５】
特に、明るさ絞りと第２正レンズ群との距離を変化させることで、第１正レンズ群、第１負レンズ群および第２正レンズ群の収差補正の負荷を減らすことができる。そのため、光学系の広画角化と高変倍比化を行っても、光学性能の劣化を抑えることができる。また、広角端付近での入射瞳を物体側に近づけやすくなるので、第１正レンズ群のレンズ径の更なる小径化や、光学系の広画角化に有利となる。
【００３６】
そして、第２の発明のズームレンズでは、第１正レンズ群が以下の条件式（２）を満足する。
３．１≦ｆＰ１／Ｈｗ≦５．８                        （２）
ただし、
ｆＰ１は、第１正レンズ群の焦点距離、
Ｈｗは、Ｈｗ＝ｆｗ・tan（ωｗ)にて定義され、
ｆｗは、広角端でのズームレンズ全系の焦点距離、
ωｗは、広角端での明るさ絞りの中心を通過して有効撮像領域の最大像高位置に入射する光線が、ズームレンズに入射するときの光軸に対する半画角、
である。
【００３７】
ズームレンズの全長を短くしていくと、第１正レンズ群の体積が最も大きくなりやすい。条件式（２）はこの第１正レンズ群のレンズ径を小さく維持するための条件である。条件式（２）を満足することで第１正レンズ群のレンズ径を小さくできるので、第１正レンズ群の体積の増大を抑えることができる。
【００３８】
条件式（２）の下限を下回らないように第１正レンズ群の屈折力を弱くすることで、入射瞳を物体側に近づけることができる。その結果、レンズ群の中で最も径が大きくなる第１正レンズ群の径と重量の増加を抑えると共に、第１レンズ群で発生する非点収差を良好に補正できる。
【００３９】
条件式（２）の上限を上回らないように第１正レンズ群の屈折力を確保することで、ズームレンズ全長の短縮化に有利となる。
【００４０】
また、第３の発明のズームレンズは参考例であって、物体側から像側に順に、正屈折力の第１正レンズ群と、負屈折力の第１負レンズ群と、正屈折力のリアレンズ群グループを有し、
前記リアレンズ群グループは、正屈折力の第２正レンズ群と、前記第２正レンズ群よりも像側に配置された第２負レンズ群と、前記第２負レンズ群よりも像側に配置された第３正レンズ群を有し、
さらに、前記第１負レンズ群と前記第２負レンズ群との間に配置された明るさ絞りを有し、
広角端から望遠端への変倍の際に、
前記第１正レンズ群から前記第１負レンズ群までの距離が増加し、
前記第１負レンズ群から前記第２正レンズ群までの距離が減少し、
前記第２正レンズ群から前記第２負レンズ群までの距離が変化し、
前記第２負レンズ群から前記第３正レンズ群までの距離が変化し、
前記第１正レンズ群は、負屈折力の負レンズ副群と、その負屈折力の負レンズ副群よりも像側に配置された正屈折力の正レンズ副群を有し、且つ、前記第１正レンズ群中のレンズ副群の総数は２であり、
前記第１負レンズ群は、負屈折力の負レンズ副群と、その負屈折力の負レンズ副群よりも像側に配置された正屈折力の正レンズ副群を有し、且つ、前記第１負レンズ群中のレンズ副群の総数は２であり、
前記第１正レンズ群及び前記第１負レンズ群中のレンズのうち少なくとも１つのレンズが、以下の条件式（６）を満足する第１の比重の小さいレンズであり、
前記第１正レンズ群、前記第１負レンズ群、前記第２正レンズ群、及び前記第２負レンズ群中のレンズのうち少なくとも１つのレンズが、前記第１の比重の小さいレンズの屈折力とは異なる符号の屈折力を持ち、且つ以下の条件式（６）を満足する第２の比重の小さいレンズであることを特徴とする。
０．９ｇ／ｃｍ３≦ＳＧ≦２．０ｇ／ｃｍ３            （６）
ただし、
ＳＧは、前記第１の比重の小さいレンズ、前記第２の比重の小さいレンズのそれぞれの比重、
である。
【００４１】
第３の発明のズームレンズは、物体側から像側に順に、正屈折力の第１正レンズ群と、負屈折力の第１負レンズ群と、正屈折力のリアレンズ群グループを有している。第３の発明のズームレンズでは、望遠端での光学系のレンズ構成がテレフォトタイプの構成になるため、ズームレンズ全長の短縮化に有利となる。
【００４２】
また、第３の発明のズームレンズでは、第２正レンズ群よりも像側に第２負レンズ群が配置され、更にその像側に第３正レンズ群が配置されている。このような配置にすることで、第２正レンズ群の屈折力と第２負レンズ群の屈折力の絶対値を大きくできるので、射出瞳を像面から遠ざけることに有利となる。しかも、第２正レンズ群と第２負レンズ群にて変倍作用を分担することができるので、高変倍比化とリアレンズ群グループの小径化にも有利となる。
【００４３】
また、第３の発明のズームレンズでは、第１負レンズ群と第２負レンズ群との間に明るさ絞りを配置しているので、ズームレンズの中心付近に明るさ絞りが位置することになる。そのため、明るさ絞りを挟んで物体側が正屈折力・負屈折力、像側が負屈折力・正屈折力というように、屈折力の正負の並び、すなわち屈折力の配置が明るさ絞りを挟んで対称的になる。この対称的な屈折力の配置により、軸外の収差変動を打ち消すことができるので、変倍時の非点収差やコマ収差などの軸外収差の補正に有利となる。これにより、広角端での広画角化にもつながる。
【００４４】
また、変倍時の各レンズ群の動きを上述のようにすることで、第１負レンズ群と第２正レンズ群の変倍作用を十分に確保することができる。そのため、第３の発明のズームレンズでは、ズームレンズ全長の短縮化と高変倍比化の両立に有利となる。
【００４５】
ところで、第１正レンズ群は、他のレンズ群に比べてレンズ径が大きくなりやすい。そこで、第３の発明のズームレンズでは、第１正レンズ群を上述の構成にすることで、第１正レンズ群で入射瞳を物体側に近づけるようにしている。これにより、第１正レンズ群を小径にすることができる。また、第１正レンズ群のレンズ径を小さくできるので、光学系の軽量化も実現できる。また、第１正レンズ群の像側主点を第１負レンズ群側に近づけることができるので、望遠端での長焦点距離化に有利となる。
【００４６】
また、第１正レンズ群と第１負レンズ群は、他のレンズ群に比べて体積が大きくなりやすい。そこで、第３の発明のズームレンズでは、上述のように、屈折力の配置が明るさ絞りを挟んで対称的になるようにしている。これにより、第１正レンズ群と第１負レンズ群における軸外収差補正の負担を軽減できる。そのため、第１正レンズ群と第１負レンズ群中のレンズ副群の総数をそれぞれ２つにしても、球面収差を含む諸収差の補正を良好に行うことができる。その結果、第１正レンズ群と第１負レンズ群の体積を小さくできる。また、高性能でありながらズームレンズの小型化に有利となる。
【００４７】
そして、第３の発明のズームレンズでは、第１正レンズ群及び第１負レンズ群中のレンズのうち少なくとも１つのレンズが、以下の条件式（６）を満足する第１の比重の小さいレンズであり、第１正レンズ群、第１負レンズ群、第２正レンズ群、及び第２負レンズ群中のレンズのうち少なくとも１つのレンズが、第１の比重の小さいレンズの屈折力とは異なる符号の屈折力を持ち、且つ以下の条件式（６）を満足する第２の比重の小さいレンズである。
０．９ｇ／ｃｍ３≦ＳＧ≦２．０ｇ／ｃｍ３            （６）
ただし、
ＳＧは、第１の比重の小さいレンズ、第２の比重の小さいレンズのそれぞれの比重、
である。
【００４８】
上述のように、第１正レンズ群及び第１負レンズ群は、明るさ絞りよりも物体側に位置している。この第１正レンズ群及び第１負レンズ群はレンズ径が大きくなりやすい。そこで、第１正レンズ群及び第１負レンズ群中のレンズのうちの少なくとも１枚のレンズを、比重の小さいレンズとすることが好ましい。このように、少なくとも１枚のレンズの材料に比重の小さい材料を用いることで、光学系の大幅な軽量化と低コスト化が可能になる。
【００４９】
そこで、第３の発明のズームレンズでは、第１正レンズ群及び第１負レンズ群中のレンズのうち少なくとも１つのレンズを、条件式（６）を満足する第１の比重の小さいレンズとしている。
【００５０】
なお、比重が小さい材料では屈折率が低いため、このような材料を用いたレンズでは収差補正の能力が低下してしまう。そこで、第３の発明のズームレンズでは、第１正レンズ群と第１負レンズ群において、レンズ群全体の収差補正能力を高めることで、第１の比重の小さいレンズとして、比重が条件式（６）の上限値以下のレンズを使用することを可能とした。
【００５１】
また、レンズの比重が小さくなりすぎると、レンズの屈折率を高めることが難しくなる。このため、第１の比重の小さいレンズを、条件式（６）の下限値を下回らないレンズにすることで、レンズの屈折面で発生する非点収差やコマ収差などの収差発生を抑えやすくしている。これにより、少ないレンズ副群にてレンズ群を構成できる。
【００５２】
ところで、比重の小さいレンズは、温度変化による面形状の変化や屈折率変化が一般的なガラスより大きい。また、第１正レンズ群内と第１負レンズ群内のレンズでは、軸上光束と軸外光線とが分離して通過しやすいため、比重の小さいレンズの面形状や屈折率の変化が主に像面湾曲に影響する。
【００５３】
このため第１正レンズ群と第１負レンズ群内の少なくともいずれか１枚のレンズが条件式（６）を満足するレンズの場合、温度変化で像面湾曲の変化が発生する。
【００５４】
そこで、温度変化にて像面湾曲の変化が生じやすい第１正レンズ群から第２負レンズ群内の何れかのレンズを、前述の比重の小さいレンズの屈折力の符号とは逆の符号の屈折力を持ち条件式（６）を満足する比重の小さいレンズとすることで、温度変化による像面湾曲の変化を相殺でき、光学性能を確保できる。なお、比重はＪＩＳ規格の定義に基づくものとする。
【００５５】
また、第２の目的を達成するために、第４の発明のズームレンズは、物体側から像側に順に、正屈折力の第１正レンズ群と、負屈折力の第１負レンズ群と、正屈折力のリアレンズ群グループを有し、
前記リアレンズ群グループは、正屈折力の第２正レンズ群と、前記第２正レンズ群よりも像側に配置された第２負レンズ群と、前記第２負レンズ群よりも像側に配置された第３正レンズ群を有し、
前記第１負レンズ群と前記第２正レンズ群は、間に他のレンズ群を挟まずに配置され、
さらに、前記第１負レンズ群と前記第２正レンズ群との間に配置された明るさ絞りを有し、
広角端から望遠端への変倍の際に、
前記第１正レンズ群から前記第１負レンズ群までの距離が増加し、
前記第１負レンズ群から前記第２正レンズ群までの距離が減少し、
前記第２正レンズ群から前記第２負レンズ群までの距離が変化し、
前記第２負レンズ群から前記第３正レンズ群までの距離が変化し、
前記第１正レンズ群は、負屈折力の負レンズ副群と、その負屈折力の負レンズ副群よりも像側に配置された正屈折力の正レンズ副群を有し、且つ、前記第１正レンズ群中のレンズ副群の総数は２であり、
前記第１負レンズ群は、負屈折力の負レンズ副群と、その負屈折力の負レンズ副群よりも像側に配置された正屈折力の正レンズ副群を有し、且つ、前記第１負レンズ群中のレンズ副群の総数は２であり、且つ、前記第１負レンズ群中のレンズ副群は全て単レンズであり、
前記第２正レンズ群は、正屈折力の正レンズ副群と第２レンズ副群とからなり、
前記第２正レンズ群中の前記正レンズ副群と前記第２レンズ副群は、それぞれ１つのレンズ成分からなり、
前記明るさ絞りから前記第２正レンズ群までの光軸上での距離は、望遠端に対して広角端で広がることを特徴とする。
ここで、レンズ成分とは、有効面にて物体側面と像側面の２つの面のみが空気と接するレンズブロックと定義する。
【００５６】
第４の発明のズームレンズは、物体側から像側に順に、正屈折力の第１正レンズ群と、負屈折力の第１負レンズ群と、正屈折力のリアレンズ群グループを有している。第４の発明のズームレンズでは、望遠端での光学系のレンズ構成がテレフォトタイプの構成になるため、ズームレンズ全長の短縮化に有利となる。
【００５７】
また、第４の発明のズームレンズでは、第２正レンズ群よりも像側に第２負レンズ群が配置され、更にその像側に第３正レンズ群が配置されている。このような配置にすることで、第２正レンズ群の屈折力と第２負レンズ群の屈折力の絶対値を大きくできるので、射出瞳を像面から遠ざけることに有利となる。しかも、第２正レンズ群と第２負レンズ群にて変倍作用を分担することができるので、高変倍比化とリアレンズ群グループの小径化にも有利となる。
【００５８】
そして、第４の発明のズームレンズでは、第１負レンズ群と第２正レンズ群は、間に他のレンズ群を挟まずに配置されている。すなわち、第１負レンズ群の像側の直後に、第２正レンズ群が配置されることになる。そのため、変倍作用の大きな第１負レンズ群と第２正レンズ群の各々にて発生する残存収差を、相互に相殺しやすくなる。その結果、第１負レンズ群の構成を簡略化しつつも、全変倍域での性能確保と、偏心による光学性能の劣化を減らし、光学性能の保証をより容易にすることができる。
【００５９】
また、第４の発明のズームレンズでは、第１負レンズ群と第２正レンズ群との間に明るさ絞りを配置しているので、ズームレンズの中心付近に明るさ絞りが位置することになる。そのため、明るさ絞りを挟んで物体側が正屈折力・負屈折力、像側が負屈折力・正屈折力というように、屈折力の正負の並び、すなわち屈折力の配置が明るさ絞りを挟んで対称的になる。この対称的な屈折力の配置により、軸外の収差変動を打ち消すことができるので、変倍時の非点収差やコマ収差などの軸外収差の補正に有利となる。これにより、広角端での広画角化にもつながる。
また、第１正レンズ群の小型化や広角端での広画角化にもつながる。
【００６０】
また、変倍時の各レンズ群の動きを上述のようにすることで、第１負レンズ群と第２正レンズ群の変倍作用を十分に確保することができる。そのため、第４の発明のズームレンズでは、ズームレンズ全長の短縮化と高変倍比化の両立に有利となる。
【００６１】
ところで、第１正レンズ群は、他のレンズ群に比べてレンズ径が大きくなりやすい。そこで、第４の発明のズームレンズでは、第１正レンズ群を上述の構成にすることで、第１正レンズ群で入射瞳を物体側に近づけるようにしている。これにより、第１正レンズ群を小径にすることができる。また、第１正レンズ群のレンズ径を小さくできるので、光学系の軽量化も実現できる。また、第１正レンズ群の像側主点を第１負レンズ群側に近づけることができるので、望遠端での長焦点距離化に有利となる。
【００６２】
また、第１正レンズ群と第１負レンズ群は、他のレンズ群に比べて体積が大きくなりやすい。そこで、第４の発明のズームレンズでは、上述のように、屈折力の配置が明るさ絞りを挟んで対称的になるようにしている。これにより、第１正レンズ群と第１負レンズ群における軸外収差補正の負担を軽減できる。そのため、第１正レンズ群と第１負レンズ群中のレンズ副群の総数をそれぞれ２つにしても、球面収差を含む諸収差の補正を良好に行うことができる。その結果、第１正レンズ群と第１負レンズ群の体積を小さくできる。また、高性能でありながらズームレンズの小型化に有利となる。
【００６３】
なお、第１負レンズ群を、物体側から負レンズ副群、正レンズ副群の順に配置とすることで、第２正レンズ群の物体側の明るさ絞りに対するズームレンズ全系の屈折力配置の対称性が一層良好となる。特に第１負レンズ群を２つの単レンズとすることで小型化、コスト低減に有利となる。
【００６４】
また、第４の発明のズームレンズでは、明るさ絞りから第２正レンズ群までの距離は、望遠端に対して広角端で長くなる。このようすることで、明るさ絞りに対するズームレンズ全系の屈折力配置を、更に対称配置に近づけやすくなる。また、第１負レンズ群と第２正レンズ群は変倍作用が大きくなりやすいが、このようにすることで、この第１負レンズ群と第２正レンズ群における残存収差を相殺しやすくなる。その結果、広角端付近での収差、主に非点収差などの軸外収差や、望遠端付近での収差、主にコマ収差などの軸外収差の補正に有利となる。
【００６５】
特に、明るさ絞りと第２正レンズ群との距離を変化させることで、第１正レンズ群、第１負レンズ群、第２正レンズ群の収差補正の負荷を減らすことができる。そのため、光学系の広画角化と高変倍比化を行っても、光学性能の劣化を抑えることができる。また、広角端付近での入射瞳を物体側に近づけやすくなるので、第１正レンズ群のレンズ径の更なる小径化や、光学系の広画角化に有利となる。
また、第１負レンズ群の像側の直後に第２正レンズ群を配置することで、変倍作用の大きな第１負レンズ群と第２正レンズ群の各々にて発生する残存収差を相互に相殺しやすく構成できる。そのため、第１負レンズ群の構成を簡略化しつつも全変倍域での性能確保と偏心による性能劣化を減らし性能保証をより容易にすることができる。
【００６６】
上述の各構成は相互に同時に満足することがより好ましい。
【００６７】
また、第１〜第４の発明のズームレンズがフォーカシング機能を持つ場合は、最も遠距離の合焦状態での構成とする。
【００６８】
また、第１〜第４の発明のズームレンズ（以下、本発明のズームレンズ）は、以下の構成のいずれか一つ、更には複数の構成を同時に満足することがより好ましい。
【００６９】
本発明のズームレンズでは、第１正レンズ群は反射部材を有し、該反射部材は、第１正レンズ群の負レンズ副群と正レンズ副群の間に配置されていることが好ましい。
【００７０】
本発明のズームレンズでは、第１正レンズ群の負レンズ副群と正レンズ副群の間隔を広く取ることができる。そこで、負レンズ副群と正レンズ副群の間に反射部材を配置することで、反射部材により光を反射させる（光路を折り曲げる）ことができる。すなわち、撮像装置の薄型化に有利な光学系のレイアウトが可能となる。なお、光路の折り曲げは、特に、９０度の角度で光路を曲げることが好ましい。
【００７１】
また、本発明のズームレンズでは、第１レンズ群は、変倍中、結像位置に対して固定であることが好ましい。
【００７２】
このようにすることで、ズームレンズの全長を固定とすることができるので、最もレンズ径が大きくなる第１正レンズ群を動かさずに済む。また、消費電力を減らすとともに、駆動音も小さく抑えることが容易となる。
【００７３】
また、第１〜第３の発明のズームレンズでは、第１負レンズ群と第２正レンズ群は、間に他のレンズ群を挟まずに配置されることが好ましい。
【００７４】
このようにすることで、第１負レンズ群の像側の直後に、第２正レンズ群が配置されることになる。そのため、変倍作用の大きな第１負レンズ群と第２正レンズ群の各々にて発生する残存収差を、相互に相殺しやすくなる。その結果、第１負レンズ群の構成を簡略化しつつも、全変倍域での高い光学性能の確保と、偏心による光学性能の劣化を減らし、光学性能の保証をより容易にすることができる。
【００７５】
また、第１と第３の発明のズームレンズでは、明るさ絞りは、第１負レンズ群と第２正レンズ群との間に配置されることが好ましい。
このようにすることで、明るさ絞りに対するズームレンズ全系の屈折力の配置が、更に対称な配置になる。また、第１負レンズ群と第２正レンズ群は変倍作用が大きくなりやすいので残存収差が多くなりやすいが、この第１負レンズ群と第２正レンズ群の残存収差をより良好に相殺させることができる。そのため、広角端付近での主に非点収差などの軸外収差や、望遠端付近での主にコマ収差などの軸外収差の補正に有利となる。また、第１正レンズ群の小型化や、広角端での広画角化に有利となる。
【００７６】
また、第１と第３の発明のズームレンズでは、明るさ絞りから第２正レンズ群までの光軸上での距離は、望遠端に対して広角端で広がることが好ましい。
【００７７】
明るさ絞りと第２正レンズ群との距離を変化させることで、第１正レンズ群、第１負レンズ群、第２正レンズ群における収差補正の負荷を減らすことができる。そのため、光学系の広画角化と高変倍比化を行っても、光学性能の劣化を抑えることができる。また、広角端付近での入射瞳を物体側に近づけやすくなるので、第１正レンズ群のレンズ径の更なる小径化や、光学系の広画角化に有利となる。
【００７８】
また、本発明のズームレンズでは、明るさ絞りは、変倍中、結像位置に対して固定であることが好ましい。
【００７９】
全変倍域で、結像位置に対して明るさ絞りの位置を固定とすることで、駆動装置の簡略化と明るさ絞りの安定保持が可能になる。そのため、低コスト化と衝撃が加わった時の光学性能の安定化に有利となる。
【００８０】
また、本発明のズームレンズでは、第１正レンズ群中の負レンズ副群と正レンズ副群は、共に１つのレンズ成分からなることが好ましい。
また、本発明のズームレンズでは、第１正レンズ群中の負レンズ副群と正レンズ副群は、単レンズであることが好ましい。
【００８１】
このようにすることで、光学系の一層の小型化、軽量化に有利となる。
【００８２】
また、参考例のズームレンズでは、第１負レンズ群中の負レンズ副群と正レンズ副群は、共に１つのレンズ成分からなることが好ましい。
また、本発明のズームレンズでは、上述のように、第１負レンズ群中の負レンズ副群と正レンズ副群は、単レンズであることが好ましい。
【００８３】
このようにすることで、光学系の一層の小型化、軽量化に有利となる。
【００８４】
また、本発明のズームレンズでは、第２正レンズ群は、正屈折力の正レンズ副群と、その正屈折力の正レンズ副群よりも像側に配置された第２レンズ副群を有し、第２レンズ副群は、第２正レンズ群中の正レンズ副群の屈折力の絶対値よりも小さい屈折力の絶対値を持ち、且つ、第２正レンズ群中のレンズ副群の総数は２であることが好ましい。
【００８５】
第２正レンズ群を、正レンズ副群、その正レンズ副群よりも屈折力の弱い第２レンズ副群の順番で構成することで、第２正レンズ群の主点を第１負レンズ群側に位置させることができる。それにより、第１負レンズ群と第２正レンズ群の距離を変化させたときに、その距離の変化による変倍作用の十分な確保に有利となる。
【００８６】
また、本発明のズームレンズでは、第２正レンズ群中の第２レンズ副群は、負屈折力の負レンズ副群であることが好ましい。
【００８７】
このようにすることで、第２正レンズ群の主点を、第１負レンズ群側に位置させるのにいっそう有利となる。
【００８８】
また、本発明のズームレンズでは、第２正レンズ群中の正レンズ副群と第２レンズ副群は、それぞれ１つのレンズ成分であることが好ましい。ここで、レンズ成分とは有効面にて物体側面と像側面の２つの面のみが空気と接するレンズブロックと定義する。
【００８９】
このようにすることで、光学系の一層の小型化、軽量化ができる。また、第２正レンズ群は変倍作用が大きくなりやすいレンズ群であるため、製造誤差が生じると、主に望遠側での球面収差や広角側での非点収差への影響が大きくなりやすい。そこで、第２正レンズ群を２つのレンズ成分にて構成することで、偏心による収差の影響を低減することができる。なお、ここで、レンズ成分とは、光線が通過する有効光路中にて物体側面と像側面の２つの面のみが空気と接する屈折面であるレンズブロックであって、例えば、単レンズや接合レンズである。
【００９０】
また、第１、第２、第４の発明のズームレンズでは、第１正レンズ群及び第１負レンズ群中のレンズのうち少なくとも１つのレンズが、以下の条件式（６）を満足する第１の比重の小さいレンズであり、第１正レンズ群、第１負レンズ群、第２正レンズ群、及び第２負レンズ群中のレンズのうち少なくとも１つのレンズが、第１の比重の小さいレンズの屈折力とは異なる符号の屈折力を持ち、且つ以下の条件式（６）を満足する第２の比重の小さいレンズであることが好ましい。
０．９ｇ／ｃｍ３≦ＳＧ≦２．０ｇ／ｃｍ３            （６）
ただし、
ＳＧは、第１の比重の小さいレンズ、第２の比重の小さいレンズのそれぞれの比重、
である。
【００９１】
作用効果については、第３の発明のズームレンズで説明したとおりである。
【００９２】
また、本発明のズームレンズでは、第１の比重の小さいレンズ及び第２の比重の小さいレンズが、以下の条件式（７）を満足することが好ましい。
１．４５≦ｎｄＰＬ≦１．８          （７）
ただし、
ｎｄＰＬは、第１の比重の小さいレンズ、第２の比重の小さいレンズのｄ線に対する屈折率、
である。
【００９３】
第１の比重の小さいレンズと第２の比重の小さいレンズの屈折率を、それぞれ条件式（７）の範囲内とすることで、ペッツバール和を良好に保ちやすくなる。そのため、第１正レンズ群や第１負レンズ群内に高屈折率のレンズ（例えば、ｄ線の屈折率が１．９を超える様なレンズ）を多用しなくとも、像面の形状を良好に保つことが可能である。
【００９４】
また、レンズ材料は、一般的に屈折率が高いほど、比重が大きくなる傾向がある。ここで、第１正レンズ群及び第１負レンズ群は、レンズ径が大きくなりやすい。そのため、条件式（７）を満足するレンズを用いることで、第１正レンズ群及び第１負レンズ群の重量の軽量化に有利となる。
【００９５】
また、本発明のズームレンズでは、第２の比重の小さいレンズが、第１正レンズ群及び第１負レンズ群のいずれかに含まれることが好ましい。
【００９６】
第２の比重の小さいレンズは、第１正レンズ群か第１負レンズ群中のレンズであることが望ましい。第１正レンズ群と第１負レンズ群は、広角端付近で互いに近い距離に位置する。そのため、第１の比重の小さいレンズと第２の比重の小さいレンズの非点収差が温度変化によりそれぞれ変化しても、相殺することになるので、温度変化による光学性能の劣化を防止できる。また、光学系の更なる軽量化に有利となる。
【００９７】
また、本発明のズームレンズでは、第２負レンズ群が、遠距離物体から近距離物体へのフォーカシングの際に像側に移動することが好ましい。
【００９８】
温度による形状変化が大きい材料、例えばプラスチックなどをレンズに使用した場合、または、望遠端における焦点距離をより長くした場合、温度変化による焦点の位置の変化が大きくなってくる。この焦点の位置の変化は、フォーカスレンズ群の位置の調整により補正することができる。この場合、フォーカスレンズ群の移動量に対して焦点の位置（像面位置）の変化が小さすぎると、フォーカスレンズ群の移動量を大きくしなければならない。そうすると、焦点距離や像面湾曲が変化しやすくなる。反対に、フォーカスレンズ群の移動量に対して焦点の位置（像面位置）の変化が大きすぎると、フォーカスレンズ群の位置の制御が難しくなる。
【００９９】
そこで、本発明のズームレンズでは、物体側から、第１正レンズ群、第１負レンズ群の順で配置し、更に、それよりも像側に第２正レンズ群、第２負レンズ群、第３正レンズ群を配置することで、第２正レンズ群と第２負レンズ群の屈折力を高めつつ、射出瞳を像側に遠ざけることができる。加えて、第２正レンズ群と第２負レンズ群で変倍作用を分担できるため、これにより第２負レンズ群のフォーカス感度の設定も容易となる。よって、第２負レンズ群を移動させることで、スムーズなフォーカシングができる。
【０１００】
また、本発明のズームレンズでは、第２負レンズ群が、以下の条件式（３）を満足することが好ましい。
２．０≦｜ｆＮ２／Ｈｔ｜≦４．５                （３）
ただし、
ｆＮ２は、第２負レンズ群の焦点距離、
Ｈｔは、Ｈｔ＝ｆｔ・tan（ωｔ)にて定義され、
ｆｔは、望遠端でのズームレンズ全系の焦点距離、
ωｔは、望遠端での明るさ絞りの中心を通過して有効撮像領域の最大像高位置に入射する光線が、ズームレンズに入射するときの光軸に対する半画角、
である。
【０１０１】
第２正レンズ群と第２負レンズ群の屈折力を高めることにより、変倍作用を高めることができる。条件式（３）は、この変倍作用を高めても、変倍域全域で良好な光学性能を得やすくするため条件式である。
【０１０２】
条件式（３）の下限を下回らないようにすることで、第２負レンズ群における変倍作用が過剰になることを抑えることができる。その結果、球面収差や非点収差の変動の抑制に有利となる。また、第２負レンズ群における変倍作用が過剰になることを抑えることで、少ないレンズ枚数にて球面収差や非点収差などの収差補正が行い易くなる。また、第２負レンズ群を１枚のレンズで構成することも可能になるので、光学系の軽量化を図ることができる。
【０１０３】
条件式（３）式の上限を上回らないようにすることで、第２負レンズ群における変倍作用を確保しやすくなるので、所望の変倍比を確保することができる。また、相対的に第２正レンズ群における変倍作用が過剰になることを抑えやすくなるので、第２正レンズ群での球面収差や非点収差などの収差低減ができる。
【０１０４】
また、本発明のズームレンズでは、第２負レンズ群が、以下の条件式（４）を満足することが好ましい。
０．３≦｜ｆＮ２／ｆｔ｜≦０．７            （４）
ただし、
ｆＮ２は、第２負レンズ群の焦点距離、
ｆｔは、望遠端でのズームレンズ全系の焦点距離、
である。
【０１０５】
第２正レンズ群と第２負レンズ群の屈折力を高めることにより、変倍作用を高めることができる。条件式（４）は、この変倍作用を高めても、変倍域全域で良好な光学性能を得やすくするため条件式である。
【０１０６】
条件式（４）の下限を下回らないようにすることで、第２負レンズ群における変倍作用が過剰になることを抑えることができる。その結果、望遠端付近での球面収差や非点収差の変動の抑制に有利となる。また、第２負レンズ群における変倍作用が過剰になることを抑えることで、少ないレンズ枚数にて球面収差や非点収差などの収差補正が行い易くなる。また、第２負レンズ群を１枚のレンズで構成することも可能になるので、光学系の軽量化を図ることができる。
【０１０７】
条件式（４）の上限を上回らないようにすることで、第２負レンズ群における変倍作用を確保しやすくなるので、所望の変倍比を確保することができる。また、相対的に第２正レンズ群における変倍作用が過剰になることを抑えやすくなるので、第２正レンズ群での球面収差や非点収差などの収差低減ができる。
【０１０８】
また、第２〜第４の発明のズームレンズでは、第１負レンズ群が、以下の条件式（１）を満足することが好ましい。
０．２０≦Ｄ２ｂ／Ｈｗ≦０．９                  （１）
ただし、
Ｄ２ｂは、第１負レンズ群中の負屈折力の負レンズ副群の像側面から正屈折力の正レンズ副群の物体側面までの光軸上の距離、
Ｈｗは、Ｈｗ＝ｆｗ・tan（ωｗ)にて定義され、
ｆｗは、広角端でのズームレンズ全系の焦点距離、
ωｗは、広角端での明るさ絞りの中心を通過して有効撮像領域の最大像高位置に入射する光線が、ズームレンズに入射するときの光軸に対する半画角、
である。
【０１０９】
作用効果については、第１の発明のズームレンズで説明したとおりである。
【０１１０】
また、第３の発明のズームレンズでは、第１負レンズ群中のレンズ副群は、全て単レンズであることが好ましい。
【０１１１】
第１正レンズ群と第１負レンズ群はレンズ径が大きくなるので、これらのレンズ群では構成を簡素化するのが好ましい。そこで、第１負レンズ群中のレンズ副群を全て単レンズにすることで、光学系全体的の軽量化が図れると共に、衝撃が加わった時の光学性能の保証に有利となる。
【０１１２】
また、本発明のズームレンズでは、第１正レンズ群が、以下の条件式（５）を満足することが好ましい。
０．２≦Ｄ１ｂ／ｆＰ１≦０．６                            （５）
ただし、
Ｄ１ｂは、第１正レンズ群中の負屈折力の負レンズ副群の像側面から正屈折力の正レンズ副群の物体側面までの光軸に沿った空気換算距離、
ｆＰ１は、第１正レンズ群の焦点距離、
である。
【０１１３】
第１正レンズ群は、ズームレンズの中でレンズ径が大きくなりやすいレンズ群である。条件式（５）は、第１正レンズ群の小径化によるズームレンズ全体の小型化と、光学性能の確保の両立に有利とするための条件式である。
【０１１４】
条件式（５）の下限を下回らないようにすることで、第１正レンズ群での入射瞳を物体側に近づけることができるので、第１正レンズ群における入射光線高を低く抑えることができる。それにより、第１正レンズ群の小径化や軽量化ができる。また、第１正レンズ群のレンズ副群同士の間に反射部材を入れる構成が容易となるので、光路を屈曲させるタイプのズームレンズが容易に実現できる。
【０１１５】
条件式（５）の上限を上回らないようにすることで、ズームレンズの全長を短縮できる。また、第１レンズ群の２つのレンズ副群間で発生する非点収差の発生を抑えやすくなる。更には、第１正レンズ群中の各レンズ副群を、それぞれ１つの単レンズで構成することも可能となる。
【０１１６】
また、本発明のズームレンズでは、第１正レンズ群中のレンズ副群は、全て単レンズであることが好ましい。
【０１１７】
このようにすることで、光学系の低コスト化に有利となる。
【０１１８】
また、本発明のズームレンズでは、第１正レンズ群中の負レンズ副群の最も物体側のレンズ面は、物体側に凹のレンズ面であることが好ましい。
【０１１９】
第１正レンズ群の最も物体側のレンズ面を物体側に凹のレンズ面とすることで、第１正レンズ群内の負レンズ副群と正レンズ副群との距離を確保しやすくなる。そのため、第１正レンズ群内に反射部材を配置するスペースの確保に有利となる。また、第１正レンズ群への光線の入射高を低くできるので、レンズ径の小型化につながる。
【０１２０】
また、本発明のズームレンズでは、第１負レンズ群が、以下の条件式（８）を満足することが好ましい。
０．４５≦｜ｆＮ１ｎ｜×ｆＮ１ｐ／ｆＮ１２≦１．８        （８）
ただし、
ｆＮ１ｎは、第１負レンズ群中の負レンズ副群の焦点距離、
ｆＮ１ｐは、第１負レンズ群中の正レンズ副群の焦点距離、
ｆＮ１は、第１負レンズ群の焦点距離、
である。
【０１２１】
条件式（８）の下限を下回らないように、第１負レンズ群中の両レンズ副群の屈折力が過剰に高くならないようにすることで、両レンズ副群での光学性能の確保に必要な両レンズ副群間隔の確保に有利となる。
【０１２２】
条件式（８）の上限を上回らないように、第１負レンズ群中の両レンズ副群の屈折力を共に高めることにより、第１負レンズ群の大きさを抑えやすくなると共に、両レンズ副群間にて収差を相殺する機能の確保に有利となる。
【０１２３】
条件式（１）、（２）におけるωｗについて、図２２を用いて説明する。図２２には、ズームレンズ、明るさ絞り及び撮像面が、光軸上に配置されている様子が示されている。ズームレンズに入射した光線は、明るさ絞りを通過したのち、ズームレンズから出射して撮像面に到達する。
【０１２４】
図２２において、実線で示すＬは、明るさ絞りの中心を通過する光線のうち、有効撮像領域上の点Ｘに到達する光線を示している。この点Ｘは、有効撮像領域のなかで光軸から最も離れた位置である。ここで、有効撮像領域は物体像が形成されている領域であるため、点Ｘは最大像高位置になる。このように、光線Ｌは、明るさ絞り中心を通過して有効撮像領域の最大像高位置に入射する光線である。そして、ωｗは、広角端における、光線Ｌの光軸に対する半画角である。一方、条件式（３）のωｔは、望遠端における、光線Ｌの光軸に対する半画角になる。
【０１２５】
なお、本発明のズームレンズの構成は、射出瞳を像面から離す構成に向いている。このため、電子撮像素子を備えた電子撮像装置に用いることが好ましい。ここで、電子撮像素子は、ズームレンズにより形成された像を電気信号に変換する素子である。
【０１２６】
そこで、本発明の撮像装置は、上記のズームレンズと、ズームレンズの像側に配置された撮像素子とを有することを特徴とする。これにより、広画角で高い変倍比を持ちながら、諸収差が良好に補正された撮像装置を実現できる。特に、ズームレンズが反射部材を有する場合、薄型の撮像装置を実現できる。
【０１２７】
上述の各構成は、相互に任意に組み合わせることでより効果を発揮できる。更には、各条件式の下限値や上限値を以下のように限定することで、その機能の発揮に一層有利となる。
【０１２８】
条件式（１）について、
下限値を０.２４、更には０.２５とすることがより好ましい。
上限値を０.７５、更には０.７２とすることがより好ましい。
【０１２９】
条件式（２）について、
下限値を３.３とすることがより好ましい。
上限値を５.０、更には４.６とすることがより好ましい。
【０１３０】
条件式（３）について、
下限値を２.２、更には２.４とすることがより好ましい。
上限値を４.０、更には３.７とすることがより好ましい。
【０１３１】
条件式（４）について、
下限値を０．３４、更には０．３４５とすることがより好ましい。
上限値を０．５７、更には０．５６とすることがより好ましい。
【０１３２】
条件式（５）について、
下限値を０．３、更には０．３５とすることがより好ましい。
上限値を０．５５、更には０．５２とすることがより好ましい。
【０１３３】
条件式（６）について、
下限値を０.９とすることがより好ましい。
上限値を１.６とすることがより好ましい。
【０１３４】
条件式（７）について、
下限値を１.４９とすることがより好ましい。
上限値を１.７６とすることがより好ましい。
【０１３５】
条件式（８）について、
下限値を０．５、更には０．５５とすることがより好ましい。
上限値を１．７、更には１．６とすることがより好ましい。
【発明の効果】
【０１３６】
本発明によれば、高い変倍比を確保しながら、小型軽量で、コストが低減され、所定の負屈折力のレンズ群の偏心による影響を考慮した、光学性能の維持に有利なズームレンズを提供することができる。
【０１３７】
また、広角端における広い画角と高い変倍比を確保しながら、所定の正屈折力のレンズ群が小型軽量で、コストが低減され、良好な光学性能の維持に有利なズームレンズを提供することができる。
【０１３８】
また、高い変倍比を確保しながら、小型軽量で、コストが低減され、温度変化による光学性能の維持に有利なズームレンズを提供することができる。
【０１３９】
また、広画角で高い変倍比を持ちながら、諸収差が良好に補正された撮像装置を実現できる。
【図面の簡単な説明】
【０１４０】
【図１】（ａ）〜（ｃ）は、それぞれ本発明のズームレンズの第１実施例の無限遠物点合焦時の広角端、中間焦点距離状態、望遠端でのレンズ断面図である。
【図２】（ａ）〜（ｃ）は、それぞれ本発明のズームレンズの第２実施例の無限遠物点合焦時の広角端、中間焦点距離状態、望遠端でのレンズ断面図である。
【図３】（ａ）〜（ｃ）は、それぞれ本発明のズームレンズの第３実施例の無限遠物点合焦時の広角端、中間焦点距離状態、望遠端でのレンズ断面図である。
【図４】（ａ）〜（ｃ）は、それぞれ本発明のズームレンズの第４実施例の無限遠物点合焦時の広角端、中間焦点距離状態、望遠端でのレンズ断面図である。
【図５】（ａ）〜（ｃ）は、それぞれ本発明のズームレンズの第５実施例の無限遠物点合焦時の広角端、中間焦点距離状態、望遠端でのレンズ断面図である。
【図６】（ａ）〜（ｃ）は、それぞれ本発明のズームレンズの第６実施例の無限遠物点合焦時の広角端、中間焦点距離状態、望遠端でのレンズ断面図である。
【図７】（ａ）〜（ｃ）は、それぞれ本発明のズームレンズの第７実施例の無限遠物点合焦時の広角端、中間焦点距離状態、望遠端でのレンズ断面図である。
【図８】（ａ）〜（ｃ）は、それぞれ本発明のズームレンズの第８実施例の無限遠物点合焦時の広角端、中間焦点距離状態、望遠端でのレンズ断面図である。
【図９】（ａ）〜（ｌ）は、それぞれ第１実施例の無限遠物点合焦時の収差図である。
【図１０】（ａ）〜（ｌ）は、それぞれ第２実施例の無限遠物点合焦時の収差図である。
【図１１】（ａ）〜（ｌ）は、それぞれ第３実施例の無限遠物点合焦時の収差図である。
【図１２】（ａ）〜（ｌ）は、それぞれ第４実施例の無限遠物点合焦時の収差図である。
【図１３】（ａ）〜（ｌ）は、それぞれ第５実施例の無限遠物点合焦時の収差図である。
【図１４】（ａ）〜（ｌ）は、それぞれ第６実施例の無限遠物点合焦時の収差図である。
【図１５】（ａ）〜（ｌ）は、それぞれ第７実施例の無限遠物点合焦時の収差図である。
【図１６】（ａ）〜（ｌ）は、それぞれ第８実施例の無限遠物点合焦時の収差図である。
【図１７】歪曲収差の補正を説明する図である。
【図１８】本発明による光路折り曲げズームレンズを組み込んだデジタルカメラの外観を示す前方斜視図である。
【図１９】上記デジタルカメラの後方斜視図である。
【図２０】上記デジタルカメラの内部構成の概念図である。
【図２１】デジタルカメラの主要部の内部回路の構成ブロック図である。
【図２２】ωｗを説明するための図である。
【発明を実施するための形態】
【０１４１】
以下に、本発明にかかるズームレンズ及び撮像装置の実施例を、図面に基づいて詳細に説明する。なお、この実施例によりこの発明が限定されるものではない。
【０１４２】
以下、本発明のズームレンズの実施例１〜８について説明する。実施例１〜８の無限遠物点合焦時の広角端（ａ）、中間焦点距離状態（ｂ）、望遠端（ｃ）でのレンズ断面図を図１〜８に示す。図１〜８中、第１レンズ群はＧ１、第２レンズ群はＧ２、第３レンズ群はＧ３、第４レンズ群はＧ４、第５レンズ群はＧ５、第６レンズ群はＧ６、明るさ絞りはＳ、赤外光カットフィルターはＦ、カバーガラスはＣ、像面はＩで示してある。
実施例に示す各ズームレンズは、主に電子撮像素子を用いたズームレンズで広角域（望ましくは半画角が３２度以上）から４倍以上の変倍比を有し、小型で製造誤差の保証も容易な構成とし、軽量で低コスト化及び衝撃時の性能保証をより容易にできる撮像光学系となっている。
また、広角端での負の歪曲収差を電気的に補正するため、広角端での像高は望遠端での像高よりも小さくなっている。
【０１４３】
ここで、赤外光カットフィルターＦは、ローパスフィルタ上に赤外光をカットするコート（多層膜）を施したものであっても良い。また、カバーガラスＣは電子撮像素子の平行平板である。なお、カバーガラスＣの表面に赤外光をカットするコートを施しても良い。また、そのカバーガラスＣにローパスフィルタ作用を持たせるようにしても良い。
【０１４４】
また、数値データは、いずれも無限遠の物体（被写体）に合焦した状態でのデータである。各数値の長さの単位はｍｍ、角度は°（度）である。さらに、ズームデータは広角端、中間焦点距離状態、望遠端での値である。
【０１４５】
また、図１〜図８では、プリズム（反射部材）中の反射面の図示を省略して、展開した図としてプリズムを２つの平面で図示しているが、実際は図２０においてＰで示されるように、プリズムは直角プリズムである。
また、遠距離から近距離へのフォーカシングに関しては、実施例１〜６、８では第４レンズ群Ｇ４が像側へ移動し、実施例７では、第５レンズ群Ｇ５が像側へ移動する。
【０１４６】
実施例１のズームレンズは、図１に示すように、物体側から順に、正屈折力の第１レンズ群Ｇ１と、負屈折力の第２レンズ群Ｇ２と、明るさ絞りＳと、正屈折力の第３レンズ群Ｇ３と、負屈折力の第４レンズ群Ｇ４と、正屈折力の第５レンズ群Ｇ５とを有している。なお、図１において、ｒ２１、ｒ２２、ｒ２３は仮想面である。
【０１４７】
正屈折力の第１レンズ群Ｇ１は第１正レンズ群、負屈折力の第２レンズ群Ｇ２は第１負レンズ群、正屈折力の第３レンズ群Ｇ３は第２正レンズ群、負屈折力の第４レンズ群Ｇ４は第２負レンズ群、正屈折力の第５レンズ群Ｇ５は第３正レンズ群である。
【０１４８】
広角端から望遠端にかけての変倍時、第１レンズ群Ｇ１は固定であり、第２レンズ群Ｇ２は像側に移動し、第３レンズ群Ｇ３は物体側に移動し、第４レンズ群Ｇ４は物体側に移動し、第５レンズ群Ｇ５は固定である。また、明るさ絞りＳは固定であり、開口サイズを変化させて光量を調整する。
【０１４９】
物体側から順に、第１レンズ群Ｇ１は、両凹負レンズＬ１と、光路折り曲げプリズムＬ２と、両凸正レンズＬ３とからなる。第２レンズ群Ｇ２は、両凹負レンズＬ４と、物体側に凸面を向けた正メニスカスレンズＬ５とからなる。第３レンズ群Ｇ３は、両凸正レンズＬ６と、両凹負レンズＬ７と両凸正レンズＬ８の接合レンズとからなる。第４レンズ群Ｇ４は、物体側に凹面を向けた負メニスカスレンズＬ９からなる。第５レンズ群Ｇ５は、両凸正レンズＬ１０からなる。
【０１５０】
非球面は、第１レンズ群Ｇ１の両凹負レンズＬ１の両面と、両凸正レンズＬ３の両面、第２レンズ群Ｇ２の両凹負レンズＬ４の両面と、物体側に凸面を向けた正メニスカスレンズＬ５の両面、第３レンズ群Ｇ３の両凸正レンズＬ６の両面、第４レンズ群Ｇ４の物体側に凹面を向けた負メニスカスレンズＬ９の両面、第５レンズ群Ｇ５の両凸正レンズＬ１０の両面、の合計１４面に用いている。
【０１５１】
図１において、プリズムＬ２の物体側面と像側面はいずれも平面で、両者の間に反射面（不図示）がある。また、リアレンズ群グループは、第３レンズ群Ｇ３、第４レンズ群Ｇ４、第５レンズ群Ｇ５である。
【０１５２】
また、第１レンズ群Ｇ１は２つのレンズ副群で構成され、両凹負レンズＬ１が負屈折力の負レンズ副群、両凸正レンズＬ３が正屈折力の正レンズ副群である。
【０１５３】
また、第２レンズ群Ｇ２は２つのレンズ副群で構成され、両凹負レンズＬ４が負屈折力の負レンズ副群、物体側に凸面を向けた正メニスカスレンズＬ５が正屈折力の正レンズ副群である。
【０１５４】
また、明るさ絞りＳから第３レンズ群Ｇ３までの光軸上での距離は、望遠端に対して広角端で広がっている。
【０１５５】
また、第１の比重の小さいレンズは、第２レンズ群Ｇ２（第１負レンズ群）の物体側に凸面を向けた正メニスカスレンズＬ５である。
【０１５６】
また、第２の比重の小さいレンズは、第１レンズ群Ｇ１（第１正レンズ群）の両凹負レンズＬ１と、第４レンズ群（第２負レンズ群）の凹面を向けた負メニスカスレンズＬ９である。
【０１５７】
実施例２のズームレンズは、図２に示すように、物体側から順に、正屈折力の第１レンズ群Ｇ１と、負屈折力の第２レンズ群Ｇ２と、明るさ絞りＳと、正屈折力の第３レンズ群Ｇ３と、負屈折力の第４レンズ群Ｇ４と、正屈折力の第５レンズ群Ｇ５とを有している。なお、図２において、ｒ２１、ｒ２２、ｒ２３は仮想面である。
【０１５８】
正屈折力の第１レンズ群Ｇ１は第１正レンズ群、負屈折力の第２レンズ群Ｇ２は第１負レンズ群、正屈折力の第３レンズ群Ｇ３は第２正レンズ群、負屈折力の第４レンズ群Ｇ４は第２負レンズ群、正屈折力の第５レンズ群Ｇ５は第３正レンズ群である。
【０１５９】
広角端から望遠端にかけての変倍時、第１レンズ群Ｇ１は固定であり、第２レンズ群Ｇ２は像側に移動し、第３レンズ群Ｇ３は物体側に移動し、第４レンズ群Ｇ４は物体側に移動し、第５レンズ群Ｇ５は固定である。また、明るさ絞りＳは固定であり、開口サイズを変化させて光量を調整する。
【０１６０】
物体側から順に、第１レンズ群Ｇ１は、両凹負レンズＬ１と、光路折り曲げプリズムＬ２と、両凸正レンズＬ３とからなる。第２レンズ群Ｇ２は、両凹負レンズＬ４と、物体側に凸面を向けた正メニスカスレンズＬ５とからなる。第３レンズ群Ｇ３は、両凸正レンズＬ６と、両凹負レンズＬ７と両凸正レンズＬ８の接合レンズとからなる。第４レンズ群Ｇ４は、両凹負レンズＬ９からなる。第５レンズ群Ｇ５は、両凸正レンズＬ１０からなる。
【０１６１】
非球面は、第１レンズ群Ｇ１の両凹負レンズＬ１の両面と、両凸正レンズＬ３の両面、第２レンズ群Ｇ２の両凹負レンズＬ４の両面と、物体側に凸面を向けた正メニスカスレンズＬ５の両面、第３レンズ群Ｇ３の両凸正レンズＬ６の両面と、両凸正レンズＬ８の像側面、第４レンズ群Ｇ４の両凹負レンズＬ９の両面、第５レンズ群Ｇ５の両凸正レンズＬ１０の両面、の合計１５面に用いている。
【０１６２】
図２において、プリズムＬの物体側面と像側面はいずれも平面で、両者の間に反射面（不図示）がある。また、リアレンズ群グループは、第３レンズ群Ｇ３、第４レンズ群Ｇ４、第５レンズ群Ｇ５である。
【０１６３】
また、第１レンズ群Ｇ１は２つのレンズ副群で構成され、両凹負レンズＬ１が負屈折力の負レンズ副群、両凸正レンズＬ３が正屈折力の正レンズ副群である。
【０１６４】
また、第２レンズ群Ｇ２は２つのレンズ副群で構成され、両凹負レンズＬ４が負屈折力の負レンズ副群、物体側に凸面を向けた正メニスカスレンズＬ５が正屈折力の正レンズ副群である。
【０１６５】
また、明るさ絞りＳから第３レンズ群Ｇ３までの光軸上での距離は、望遠端に対して広角端で広がっている。
【０１６６】
また、第１の比重の小さいレンズは、第１レンズ群Ｇ１（第１正レンズ群）の両凸正レンズＬ３と、第２レンズ群Ｇ２（第１負レンズ群）の物体側に凸面を向けた正メニスカスレンズＬ５である。
【０１６７】
また、第２の比重の小さいレンズは、第１レンズ群Ｇ１（第１正レンズ群）の両凹負レンズＬ１と、第２レンズ群Ｇ２（第１負レンズ群）の両凹負レンズＬ４と、第４レンズ群（第２負レンズ群）の両凹負レンズＬ９である。
【０１６８】
実施例３のズームレンズは、図３に示すように、物体側から順に、正屈折力の第１レンズ群Ｇ１と、負屈折力の第２レンズ群Ｇ２と、明るさ絞りＳと、正屈折力の第３レンズ群Ｇ３と、負屈折力の第４レンズ群Ｇ４と、正屈折力の第５レンズ群Ｇ５とを有している。なお、図３において、ｒ２１、ｒ２２、ｒ２３は仮想面である。
【０１６９】
正屈折力の第１レンズ群Ｇ１は第１正レンズ群、負屈折力の第２レンズ群Ｇ２は第１負レンズ群、正屈折力の第３レンズ群Ｇ３は第２正レンズ群、負屈折力の第４レンズ群Ｇ４は第２負レンズ群、正屈折力の第５レンズ群Ｇ５は第３正レンズ群である。
【０１７０】
広角端から望遠端にかけての変倍時、第１レンズ群Ｇ１は固定であり、第２レンズ群Ｇ２は像側に移動し、第３レンズ群Ｇ３は物体側に移動し、第４レンズ群Ｇ４は物体側に移動し、第５レンズ群Ｇ５は固定である。また、明るさ絞りＳは固定であり、開口サイズを変化させて光量を調整する。
【０１７１】
物体側から順に、第１レンズ群Ｇ１は、両凹負レンズＬ１と、光路折り曲げプリズムＬ２と、両凸正レンズＬ３とからなる。第２レンズ群Ｇ２は、両凹負レンズＬ４と、物体側に凸面を向けた正メニスカスレンズＬ５とからなる。第３レンズ群Ｇ３は、両凸正レンズＬ６と、両凹負レンズＬ７と両凸正レンズＬ８の接合レンズとからなる。第４レンズ群Ｇ４は、物体側に凹面を向けた負メニスカスレンズＬ９からなる。第５レンズ群Ｇ５は、両凸正レンズＬ１０からなる。
【０１７２】
非球面は、第１レンズ群Ｇ１の両凹負レンズの両面Ｌ１と、両凸正レンズＬ３の両面、第２レンズ群Ｇ２の両凹負レンズＬ４の両面と、物体側に凸面を向けた正メニスカスレンズＬ５の両面、第３レンズ群Ｇ３の両凸正レンズＬ６の両面と、両凸正レンズＬ８の像側面、第４レンズ群Ｇ４の物体側に凹面を向けた負メニスカスレンズＬ９の両面、第５レンズ群Ｇ５の両凸正レンズＬ１０の両面、の合計１５面に用いている。
【０１７３】
図３において、プリズムの物体側面と像側面はいずれも平面で、両者の間に反射面（不図示）がある。また、リアレンズ群グループは、第３レンズ群Ｇ３、第４レンズ群Ｇ４、第５レンズ群Ｇ５である。
【０１７４】
また、第１レンズ群Ｇ１は２つのレンズ副群で構成され、両凹負レンズＬ１が負屈折力の負レンズ副群、両凸正レンズＬ３が正屈折力の正レンズ副群である。
【０１７５】
また、第２レンズ群Ｇ２は２つのレンズ副群で構成され、両凹負レンズがＬ４負屈折力の負レンズ副群、物体側に凸面を向けた正メニスカスレンズＬ５が正屈折力の正レンズ副群である。
【０１７６】
また、明るさ絞りＳから第３レンズ群Ｇ３までの光軸上での距離は、望遠端に対して広角端で広がっている。
【０１７７】
また、第１の比重の小さいレンズは、第１レンズ群Ｇ１（第１正レンズ群）の両凸正レンズＬ３と、第２レンズ群Ｇ２（第１負レンズ群）の物体側に凸面を向けた正メニスカスレンズＬ５である。
【０１７８】
また、第２の比重の小さいレンズは、第１レンズ群Ｇ１（第１正レンズ群）の両凹負レンズＬ１と、第２レンズ群Ｇ２（第１負レンズ群）の両凹負レンズＬ４と、第４レンズ群（第２負レンズ群）の物体側に凹面を向けた負メニスカスレンズＬ９である。
【０１７９】
実施例４のズームレンズは、図４に示すように、物体側から順に、正屈折力の第１レンズ群Ｇ１と、負屈折力の第２レンズ群Ｇ２と、明るさ絞りＳと、正屈折力の第３レンズ群Ｇ３と、負屈折力の第４レンズ群Ｇ４と、正屈折力の第５レンズ群Ｇ５とを有している。なお、図４において、ｒ１４、ｒ１５、ｒ２３、ｒ２４、ｒ２５は仮想面である。
【０１８０】
正屈折力の第１レンズ群Ｇ１は第１正レンズ群、負屈折力の第２レンズ群Ｇ２は第１負レンズ群、正屈折力の第３レンズ群Ｇ３は第２正レンズ群、負屈折力の第４レンズ群Ｇ４は第２負レンズ群、正屈折力の第５レンズ群Ｇ５は第３正レンズ群である。
【０１８１】
広角端から望遠端にかけての変倍時、第１レンズ群Ｇ１は固定であり、第２レンズ群Ｇ２は像側に移動し、第３レンズ群Ｇ３は物体側に移動し、第４レンズ群Ｇ４は物体側に移動し、第５レンズ群Ｇ５は固定である。また、明るさ絞りＳは固定であり、開口サイズを変化させて光量を調整する。
【０１８２】
物体側から順に、第１レンズ群Ｇ１は、両凹負レンズＬ１と、光路折り曲げプリズムＬ２と、両凸正レンズＬ３とからなる。第２レンズ群Ｇ２は、両凹負レンズＬ４と、物体側に凸面を向けた正メニスカスレンズＬ５とからなる。第３レンズ群Ｇ３は、両凸正レンズＬ６と、両凹負レンズＬ７と両凸正レンズＬ８の接合レンズとからなる。第４レンズ群Ｇ４は、両凹負レンズＬ９からなる。第５レンズ群Ｇ５は、両凸正レンズＬ１０からなる。
【０１８３】
非球面は、第１レンズ群Ｇ１の両凸正レンズＬ３の両面、第２レンズ群Ｇ２の両凹負レンズＬ４の両面と、物体側に凸面を向けた正メニスカスレンズＬ５の両面、第３レンズ群Ｇ３の両凸正レンズＬ６の両面と、両凸正レンズＬ８の像側面、第４レンズ群Ｇ４の両凹負レンズＬ９の両面、第５レンズ群Ｇ５の両凸正レンズＬ１０の両面、の合計１３面に用いている。
【０１８４】
図４において、プリズムの物体側面と像側面はいずれも平面で、両者の間に反射面（不図示）がある。また、リアレンズ群グループは、第３レンズ群Ｇ３、第４レンズ群Ｇ４、第５レンズ群Ｇ５である。
【０１８５】
また、第１レンズ群Ｇ１は２つのレンズ副群で構成され、両凹負レンズＬ１が負屈折力の負レンズ副群、両凸正レンズＬ３が正屈折力の正レンズ副群である。
【０１８６】
また、第２レンズ群Ｇ２は２つのレンズ副群で構成され、両凹負レンズＬ４が負屈折力の負レンズ副群、物体側に凸面を向けた正メニスカスレンズＬ５が正屈折力の正レンズ副群である。
【０１８７】
また、明るさ絞りＳから第３レンズ群Ｇ３までの光軸上での距離は、望遠端に対して広角端で広がっている。
【０１８８】
また、第１の比重の小さいレンズは、第１レンズ群Ｇ１（第１正レンズ群）の両凸正レンズＬ３である。
【０１８９】
また、第２の比重の小さいレンズは、第２レンズ群Ｇ２（第１負レンズ群）の両凹負レンズＬ４と、第４レンズ群（第２負レンズ群）の両凹負レンズＬ９である。
【０１９０】
実施例５のズームレンズは、図５に示すように、物体側から順に、正屈折力の第１レンズ群Ｇ１と、負屈折力の第２レンズ群Ｇ２と、明るさ絞りＳと、正屈折力の第３レンズ群Ｇ３と、負屈折力の第４レンズ群Ｇ４と、正屈折力の第５レンズ群Ｇ５とを有している。なお、図５において、ｒ１４、ｒ１５、ｒ２３、ｒ２４、ｒ２５は仮想面である。
【０１９１】
正屈折力の第１レンズ群Ｇ１は第１正レンズ群、負屈折力の第２レンズ群Ｇ２は第１負レンズ群、正屈折力の第３レンズ群Ｇ３は第２正レンズ群、負屈折力の第４レンズ群Ｇ４は第２負レンズ群、正屈折力の第５レンズ群Ｇ５は第３正レンズ群である。
【０１９２】
広角端から望遠端にかけての変倍時、第１レンズ群Ｇ１は固定であり、第２レンズ群Ｇ２は像側に移動し、第３レンズ群Ｇ３は物体側に移動し、第４レンズ群Ｇ４は物体側に移動し、第５レンズ群Ｇ５は固定である。また、明るさ絞りＳは固定であり、開口サイズを変化させて光量を調整する。
【０１９３】
物体側から順に、第１レンズ群Ｇ１は、両凹負レンズＬ１と、光路折り曲げプリズムＬ２と、両凸正レンズＬ３とからなる。第２レンズ群Ｇ２は、両凹負レンズＬ４と、物体側に凸面を向けた正メニスカスレンズＬ５とからなる。第３レンズ群Ｇ３は、両凸正レンズＬ６と、両凹負レンズＬ７と両凸正レンズＬ８の接合レンズとからなる。第４レンズ群Ｇ４は、両凹負レンズＬ９からなる。第５レンズ群Ｇ５は、両凸正レンズＬ１０からなる。
【０１９４】
非球面は、第１レンズ群Ｇ１の両凸正レンズＬ３の両面、第２レンズ群Ｇ２の両凹負レンズＬ４の両面と、物体側に凸面を向けた正メニスカスレンズＬ５の両面、第３レンズ群Ｇ３の両凸正レンズＬ６の両面と、両凸正レンズＬ８の像側面、第４レンズ群Ｇ４の両凹負レンズＬ９の像側面、第５レンズ群Ｇ５の両凸正レンズＬ１０の両面、の合計１２面に用いている。
【０１９５】
図５において、プリズムの物体側面と像側面はいずれも平面で、両者の間に反射面（不図示）がある。また、リアレンズ群グループは、第３レンズ群Ｇ３、第４レンズ群Ｇ４、第５レンズ群Ｇ５である。
【０１９６】
また、第１レンズ群Ｇ１は２つのレンズ副群で構成され、両凹負レンズＬ１が負屈折力の負レンズ副群、両凸正レンズＬ３が正屈折力の正レンズ副群である。
【０１９７】
また、第２レンズ群Ｇ２は２つのレンズ副群で構成され、両凹負レンズＬ４が負屈折力の負レンズ副群、物体側に凸面を向けた正メニスカスレンズＬ５が正屈折力の正レンズ副群である。
【０１９８】
また、明るさ絞りＳから第３レンズ群Ｇ３までの光軸上での距離は、望遠端に対して広角端で広がっている。
【０１９９】
また、第１の比重の小さいレンズは、第１レンズ群Ｇ１（第１正レンズ群）の両凸正レンズＬ３と、第２レンズ群Ｇ２（第１負レンズ群）の物体側に凸面を向けた正メニスカスレンズＬ５である。
【０２００】
また、第２の比重の小さいレンズは、第２レンズ群Ｇ２（第１負レンズ群）の両凹負レンズＬ４と、第４レンズ群（第２負レンズ群）の両凹負レンズＬ９である。
【０２０１】
実施例６のズームレンズは、図６に示すように、物体側から順に、正屈折力の第１レンズ群Ｇ１と、負屈折力の第２レンズ群Ｇ２と、明るさ絞りＳと、正屈折力の第３レンズ群Ｇ３と、負屈折力の第４レンズ群Ｇ４と、正屈折力の第５レンズ群Ｇ５とを有している。なお、図６において、ｒ１６、ｒ１７、ｒ２５、ｒ２６、ｒ２７は仮想面である。
【０２０２】
正屈折力の第１レンズ群Ｇ１は第１正レンズ群、負屈折力の第２レンズ群Ｇ２は第１負レンズ群、正屈折力の第３レンズ群Ｇ３は第２正レンズ群、負屈折力の第４レンズ群Ｇ４は第２負レンズ群、正屈折力の第５レンズ群Ｇ５は第３正レンズ群である。
【０２０３】
広角端から望遠端にかけての変倍時、第１レンズ群Ｇ１は固定であり、第２レンズ群Ｇ２は像側に移動し、第３レンズ群Ｇ３は物体側に移動し、第４レンズ群Ｇ４は物体側に移動し、第５レンズ群Ｇ５は固定である。また、明るさ絞りＳは固定であり、開口サイズを変化させて光量を調整する。
【０２０４】
物体側から順に、第１レンズ群Ｇ１は、両凹負レンズＬ１と、光路折り曲げプリズムＬ２と、両凸正レンズＬ３と、両凸正レンズＬ４とからなる。第２レンズ群Ｇ２は、両凹負レンズＬ５と、物体側に凸面を向けた正メニスカスレンズＬ６とからなる。第３レンズ群Ｇ３は、両凸正レンズＬ７と、両凹負レンズＬ８と両凸正レンズＬ９の接合レンズとからなる。第４レンズ群Ｇ４は、物体側に凹面を向けた負メニスカスレンズＬ１０とからなる。第５レンズ群Ｇ５は、両凸正レンズＬ１１からなる。
【０２０５】
非球面は、第１レンズ群Ｇ１の両凹負レンズＬ１の両面と、両凸正レンズＬ３の両面、第２レンズ群Ｇ２の両凹負レンズＬ５の両面と、物体側に凸面を向けた正メニスカスレンズＬ６の両面、第３レンズ群Ｇ３の両凸正レンズＬ７の両面と、両凸正レンズＬ９の両面、第４レンズ群Ｇ４の物体側に凹面を向けた負メニスカスレンズＬ１０の両面、第５レンズ群Ｇ５の両凸正レンズＬ１１の両面、の合計１５面に用いている。
【０２０６】
図６において、プリズムの物体側面と像側面はいずれも平面で、両者の間に反射面（不図示）がある。また、リアレンズ群グループは、第３レンズ群Ｇ３、第４レンズ群Ｇ４、第５レンズ群Ｇ５である。
【０２０７】
また、第１レンズ群Ｇ１は２つのレンズ副群で構成され、両凹負レンズＬ１が負屈折力の負レンズ副群、２つの両凸正レンズＬ３、Ｌ４が正屈折力の正レンズ副群である。
【０２０８】
また、第２レンズ群Ｇ２は２つのレンズ副群で構成され、両凹負レンズＬ５が負屈折力の負レンズ副群、物体側に凸面を向けた正メニスカスレンズＬ６が正屈折力の正レンズ副群である。
【０２０９】
また、明るさ絞りＳから第３レンズ群Ｇ３までの光軸上での距離は、望遠端に対して広角端で広がっている。
【０２１０】
また、第１の比重の小さいレンズは、第１レンズ群Ｇ１（第１正レンズ群）の両凸正レンズＬ３と、第２レンズ群Ｇ２（第１負レンズ群）の物体側に凸面を向けた正メニスカスレンズＬ６である。
【０２１１】
また、第２の比重の小さいレンズは、第１レンズ群Ｇ１（第１正レンズ群）の両凹負レンズＬ１と、第４レンズ群（第２負レンズ群）の物体側に凹面を向けた負メニスカスレンズＬ１０である。
【０２１２】
実施例７のズームレンズは、図７に示すように、物体側から順に、正屈折力の第１レンズ群Ｇ１と、負屈折力の第２レンズ群Ｇ２と、正屈折力の第３レンズ群Ｇ３と、明るさ絞りＳと、正屈折力の第４レンズ群Ｇ４と、負屈折力の第５レンズ群Ｇ５と、正屈折力の第６レンズ群Ｇ６とを有している。なお、図７において、ｒ２３、ｒ２４、ｒ２５は仮想面である。
【０２１３】
正屈折力の第１レンズ群Ｇ１は第１正レンズ群、負屈折力の第２レンズ群Ｇ２は第１負レンズ群、正屈折力の第３レンズ群Ｇ３は第２正レンズ群、負屈折力の第５レンズ群Ｇ５は第２負レンズ群、正屈折力の第６レンズ群Ｇ６は第３正レンズ群である。
【０２１４】
広角端から望遠端にかけての変倍時、第１レンズ群Ｇ１は固定であり、第２レンズ群Ｇ２は像側に移動し、第３レンズ群Ｇ３は固定、第４レンズ群Ｇ４は物体側に移動し、第５レンズ群Ｇ５は物体側に移動し、第６レンズ群Ｇ６は固定である。また、明るさ絞りＳは固定であり、開口サイズを変化させて光量を調整する。
【０２１５】
物体側から順に、第１レンズ群Ｇ１は、両凹負レンズＬ１と、光路折り曲げプリズムＬ２と、両凸正レンズＬ３とからなる。第２レンズ群Ｇ２は、両凹負レンズＬ４と、物体側に凸面を向けた正メニスカスレンズＬ５とからなる。第３レンズ群Ｇ３は、両凸正レンズＬ６からなる。第４レンズ群Ｇ４は、両凸正レンズＬ７と、両凹負レンズＬ８と両凸正レンズＬ９の接合レンズとからなる。第５レンズ群Ｇ５は、物体側に凹面を向けた負メニスカスレンズＬ１０からなる。第６レンズ群Ｇ６は、両凸正レンズＬ１１からなる。
【０２１６】
非球面は、第１レンズ群Ｇ１の両凹負レンＬ１ズの両面と、両凸正レンズＬ３の両面、第２レンズ群Ｇ２の両凹負レンズＬ４の両面と、物体側に凸面を向けた正メニスカスレンズＬ５の両面、第４レンズ群Ｇ４の両凸正レンズＬ７の両面と、両凸正レンズＬ９の像側面、第４レンズ群Ｇ４の物体側に凹面を向けた負メニスカスレンズＬ１０の両面、第５レンズ群Ｇ５の両凸正レンズＬ１１の両面、の合計１５面に用いている。
【０２１７】
図７において、プリズムの物体側面と像側面はいずれも平面で、両者の間に反射面（不図示）がある。また、リアレンズ群グループは、第３レンズ群Ｇ３、第４レンズ群Ｇ４、第５レンズ群Ｇ５、第６レンズ群Ｇ６である。
【０２１８】
また、第１レンズ群Ｇ１は２つのレンズ副群で構成され、両凹負レンズＬ１が負屈折力の負レンズ副群、両凸正レンズＬ３が正屈折力の正レンズ副群である。
【０２１９】
また、第２レンズ群Ｇ２は２つのレンズ副群で構成され、両凹負レンズＬ４が負屈折力の負レンズ副群、物体側に凸面を向けた正メニスカスレンズが正屈折力Ｌ５の正レンズ副群である。
【０２２０】
また、明るさ絞りＳから第３レンズ群Ｇ３までの光軸上での距離は、望遠端に対して広角端で広がっている。
【０２２１】
また、第１の比重の小さいレンズは、第１レンズ群Ｇ１（第１正レンズ群）の両凸正レンズＬ３と、第２レンズ群Ｇ２（第１負レンズ群）の物体側に凸面を向けた正メニスカスレンズＬ５である。
【０２２２】
また、第２の比重の小さいレンズは、第１レンズ群Ｇ１（第１正レンズ群）の両凹負レンズＬ１と、第２レンズ群Ｇ２（第１負レンズ群）の両凹負レンズＬ４と、第４レンズ群（第２負レンズ群）の物体側に凹面を向けた負メニスカスレンズＬ１０である。
【０２２３】
実施例８のズームレンズは、図８に示すように、物体側から順に、正屈折力の第１レンズ群Ｇ１と、負屈折力の第２レンズ群Ｇ２と、明るさ絞りＳと、正屈折力の第３レンズ群Ｇ３と、負屈折力の第４レンズ群Ｇ４と、正屈折力の第５レンズ群Ｇ５とを有している。なお、図８において、ｒ１４、ｒ１５、ｒ２３、ｒ２４、ｒ２５は仮想面である。
【０２２４】
正屈折力の第１レンズ群Ｇ１は第１正レンズ群、負屈折力の第２レンズ群Ｇ２は第１負レンズ群、正屈折力の第３レンズ群Ｇ３は第２正レンズ群、負屈折力の第４レンズ群Ｇ４は第２負レンズ群、正屈折力の第５レンズ群Ｇ５は第３正レンズ群である。
【０２２５】
広角端から望遠端にかけての変倍時、第１レンズ群Ｇ１は固定であり、第２レンズ群Ｇ２は像側に移動し、第３レンズ群Ｇ３は物体側に移動し、第４レンズ群Ｇ４は物体側に移動し、第５レンズ群Ｇ５は固定である。また、明るさ絞りＳは固定であり、開口サイズを変化させて光量を調整する。
【０２２６】
物体側から順に、第１レンズ群Ｇ１は、両凹負レンズＬ１と、光路折り曲げプリズムＬ２と、両凸正レンズＬ３とからなる。第２レンズ群Ｇ２は、両凹負レンズＬ４と、両凸正レンズＬ５とからなる。第３レンズ群Ｇ３は、両凸正レンズＬ６と、物体側凸面を向けた負メニスカスレンズＬ７と両凸正レンズＬ８の接合レンズとからなる。第４レンズ群Ｇ４は、両凹負レンズＬ９からなる。第５レンズ群Ｇ５は、両凸正レンズＬ１０からなる。
【０２２７】
非球面は、第１レンズ群Ｇ１の両凹負レンズＬ１の両面と、両凸正レンズＬ３の両面、第２レンズ群Ｇ２の両凹負レンズＬ４の両面と、両凸正レンズＬ５の両面、第３レンズ群Ｇ３の両凸正レンズＬ６の両面と、両凸正レンズＬ８の像側面、第４レンズ群Ｇ４の両凹負レンズＬ９の両面、第５レンズ群Ｇ５の両凸正レンズＬ１０の両面、の合計１５面に用いている。
【０２２８】
図８において、プリズムの物体側面と像側面はいずれも平面で、両者の間に反射面（不図示）がある。また、リアレンズ群グループは、第３レンズ群Ｇ３、第４レンズ群Ｇ４、第５レンズ群Ｇ５である。
【０２２９】
また、第１レンズ群Ｇ１は２つのレンズ副群で構成され、両凹負レンズＬ１が負屈折力の負レンズ副群、両凸正レンズＬ３が正屈折力の正レンズ副群である。
【０２３０】
また、第２レンズ群Ｇ２は２つのレンズ副群で構成され、両凹負レンズＬ４が負屈折力の負レンズ副群、物体側に凸面を向けた正メニスカスレンズＬ５が正屈折力の正レンズ副群である。
【０２３１】
また、明るさ絞りＳから第３レンズ群Ｇ３までの光軸上での距離は、望遠端に対して広角端で広がっている。
【０２３２】
また、第１の比重の小さいレンズは、第２レンズ群Ｇ２（第１負レンズ群）の両凸正レンズＬ５である。
【０２３３】
また、第２の比重の小さいレンズは、第２レンズ群Ｇ２（第１負レンズ群）の両凹負レンズＬ４と、第４レンズ群（第２負レンズ群）の両凹負レンズＬ９である。
【０２３４】
以下に、上記各実施例の数値データを示す。記号は上記の外、ｆは全系焦点距離、ＦＢはバックフォーカス、ｆ１、ｆ２…は各レンズ群の焦点距離、ＩＨは像高、ＦＮｏ．はＦナンバー、ωは半画角、ｒは各レンズ面の曲率半径、ｄは各レンズ面間の間隔、ｎｄは各レンズのｄ線の屈折率、νｄは各レンズのアッベ数である。後述するレンズ全長は、レンズ最前面からレンズ最終面までの距離にバックフォーカスを加えたものである。ＦＢ（バックフォーカス）は、レンズ最終面から近軸像面までの距離を空気換算して表したものである。
【０２３５】
なお、非球面形状は、ｘを光の進行方向を正とした光軸とし、ｙを光軸と直交する方向にとると、下記の式にて表される。
【０２３６】
ｘ＝（ｙ２／ｒ）／［１＋｛１−（Ｋ＋１）（ｙ／ｒ）２｝１／２］
＋Ａ４ｙ４＋Ａ６ｙ６＋Ａ８ｙ８＋Ａ１０ｙ１０＋Ａ１２ｙ１２
ただし、ｒは近軸曲率半径、Ｋは円錐係数、Ａ４、Ａ６、Ａ８、Ａ１０、Ａ１２はそれぞれ４次、６次、８次、１０次、１２次の非球面係数である。また、非球面係数において、「ｅ−ｎ」（ｎは整数）は、「１０−ｎ」を示している。
【０２３７】
また、以下の数値実施例では、広角端での像高が、中間焦点距離状態や望遠端での像高に対して小さくなっている。これは、たる型のディストーションが発生しているからである。そして、数値実施例における広角端での全画角（２ω）の値は、たる型の有効撮像領域の像高に対応する画角を表示している。
【０２３８】
また、数値実施例において、反射部材（反射プリズム）の反射面を示す数値はデータから省略しているが、第３面が反射部材の入射面、第４面が反射部材の射出面を示している。よって、反射面は第３面と第４面の間に存在する。
【０２３９】
数値実施例１
単位  ｍｍ
面データ
面番号      r              d            nd             νd   
物面       ∞             ∞  
1*      -11.404          0.900        1.63493          23.90
2*       53.860          1.250
3          ∞           11.200        1.84666          23.78
4          ∞            0.200
5*        9.601          2.722        1.58313          59.38
6*      -21.059          可変  
7*       -9.131          0.600        1.58313          59.38
8*        4.027          1.149
9*        6.760          1.630        1.63493          23.90
10*      31.669          可変  
11(絞り)   ∞            可変  
12*       6.863          2.497        1.49710          81.56
13*     -12.559          4.283
14     -135.594          0.400        1.90366          31.32
15        4.700          2.635        1.58313          59.38
16       -9.700          可変   
17*      -5.608          0.600        1.53071          55.69
18*    -250.862          可変   
19*      26.727          2.496        1.53071          55.69
20*      -6.562          0.100
21         ∞            0.100
22         ∞            0.000
23         ∞            0.300
24         ∞            0.500        1.51633          64.14
25         ∞            0.500
26         ∞            0.500        1.51633          64.14
27         ∞            0.370
像面（撮像面）∞
絞り面             11    
非球面データ
第１面 
K=0.0000
A4=4.8867e-004,A6=-1.6721e-006,A8=1.2307e-008,A10=-3.9971e-011,A12=0.0000e+000,
A14=0.0000e+000,A16=0.0000e+000,A18=0.0000e+000,A20=0.0000e+000
第２面 
K=0.0000
A4=1.2672e-004,A6=1.8572e-006,A8=1.6233e-008,A10=8.0399e-012,A12=0.0000e+000,
A14=0.0000e+000,A16=0.0000e+000,A18=0.0000e+000,A20=0.0000e+000
第５面 
K=0.0000
A4=-3.0628e-004,A6=-5.2874e-006,A8=1.2921e-007,A10=-1.7749e-009,A12=0.0000e+000,
A14=0.0000e+000,A16=0.0000e+000,A18=0.0000e+000,A20=0.0000e+000
第６面 
K=0.0000
A4=2.7551e-005,A6=-6.8014e-006,A8=2.1645e-007,A10=-2.9018e-009,A12=0.0000e+000,
A14=0.0000e+000,A16=0.0000e+000,A18=0.0000e+000,A20=0.0000e+000
第７面 
K=0.0000
A4=1.8162e-003,A6=-7.2556e-005,A8=1.2042e-007,A10=4.9198e-008,A12=0.0000e+000,
A14=0.0000e+000,A16=0.0000e+000,A18=0.0000e+000,A20=0.0000e+000
第８面 
K=0.0000
A4=-2.6637e-003,A6=2.0862e-004,A8=-1.6167e-005,A10=0.0000e+000,A12=0.0000e+000,
A14=0.0000e+000,A16=0.0000e+000,A18=0.0000e+000,A20=0.0000e+000
第９面 
K=0.0000
A4=-2.5693e-003,A6=1.2268e-004,A8=2.3777e-006,A10=0.0000e+000,A12=0.0000e+000,
A14=0.0000e+000,A16=0.0000e+000,A18=0.0000e+000,A20=0.0000e+000
第１０面 
K=0.0000
A4=-1.1527e-003,A6=-7.5353e-006,A8=4.3449e-006,A10=0.0000e+000,A12=0.0000e+000,
A14=0.0000e+000,A16=0.0000e+000,A18=0.0000e+000,A20=0.0000e+000
第１２面 
K=0.0000
A4=-4.6429e-004,A6=7.4856e-008,A8=4.9091e-007,A10=0.0000e+000,A12=0.0000e+000,
A14=0.0000e+000,A16=0.0000e+000,A18=0.0000e+000,A20=0.0000e+000
第１３面 
K=0.0000
A4=3.1565e-004,A6=2.0742e-006,A8=6.2215e-007,A10=0.0000e+000,A12=0.0000e+000,
A14=0.0000e+000,A16=0.0000e+000,A18=0.0000e+000,A20=0.0000e+000
第１７面 
K=0.0000
A4=4.3471e-003,A6=-1.1678e-004,A8=1.6183e-006,A10=0.0000e+000,A12=0.0000e+000,
A14=0.0000e+000,A16=0.0000e+000,A18=0.0000e+000,A20=0.0000e+000
第１８面 
K=0.0000
A4=3.6487e-003,A6=-8.0084e-005,A8=-1.0022e-006,A10=0.0000e+000,A12=0.0000e+000,
A14=0.0000e+000,A16=0.0000e+000,A18=0.0000e+000,A20=0.0000e+000
第１９面 
K=0.0000
A4=-1.0551e-003,A6=7.8587e-005,A8=-2.2761e-006,A10=0.0000e+000,A12=0.0000e+000,
A14=0.0000e+000,A16=0.0000e+000,A18=0.0000e+000,A20=0.0000e+000
第２０面 
K=0.0000
A4=1.2619e-003,A6=6.5059e-006,A8=-8.7752e-007,A10=0.0000e+000,A12=0.0000e+000,
A14=0.0000e+000,A16=0.0000e+000,A18=0.0000e+000,A20=0.0000e+000
ズームデータ
広角端          中間          望遠端
f (mm)              5.100         11.149         24.478
F No.               3.683          5.242          5.885
2ω(画角)          78.95          39.96          18.72  
FB (mm)            -0.000         -0.000         -0.000
d6                  0.753          4.773          7.911
d10                 8.519          4.498          1.360
d11                 8.416          4.778          0.500
d16                 3.508          3.919          4.810
d18                 1.972          5.199          8.587
【０２４０】
数値実施例２
単位  ｍｍ
面データ
面番号      r              d            nd             νd   
物面       ∞             ∞  
1*      -23.628          1.000        1.63493          23.90
2*       19.652          1.630
3          ∞            9.600        1.84666          23.78
4          ∞            0.200
5*       10.070          2.772        1.53071          55.69
6*      -16.623          可変
7*       -7.516          0.702        1.53071          55.69
8*        3.989          1.864
9*        8.944          1.672        1.63493          23.90
10*     116.518          可変
11(絞り)   ∞            可変
12*       5.525          3.370        1.49710          81.56
13*     -10.884          3.021
14      -16.817          0.400        1.90366          31.32
15        4.931          2.200        1.58313          59.38
16*      -9.700          可変  
17*     -12.108          0.600        1.53071          55.69
18*      15.878          可変
19*      38.152          2.442        1.53071          55.69
20*      -6.737          0.100
21         ∞            0.100
22         ∞            0.040
23         ∞            0.310
24         ∞            0.500        1.51633          64.14
25         ∞            0.500
26         ∞            0.500        1.51633          64.14
27         ∞            0.370
像面（撮像面）∞
絞り面             11    
非球面データ
第１面 
K=0.0000
A4=1.2334e-004,A6=-4.1031e-007,A8=2.9714e-009,A10=3.9450e-012,A12=0.0000e+000,
A14=0.0000e+000,A16=0.0000e+000,A18=0.0000e+000,A20=0.0000e+000
第２面 
K=0.0000
A4=5.9591e-005,A6=1.0979e-007,A8=-3.2299e-010,A10=9.6222e-011,A12=0.0000e+000,
A14=0.0000e+000,A16=0.0000e+000,A18=0.0000e+000,A20=0.0000e+000
第５面 
K=0.0000
A4=-2.0311e-004,A6=-1.3308e-007,A8=-4.7182e-008,A10=1.0156e-009,A12=0.0000e+000,
A14=0.0000e+000,A16=0.0000e+000,A18=0.0000e+000,A20=0.0000e+000
第６面 
K=0.0000
A4=8.2223e-005,A6=-6.2524e-007,A8=-1.5116e-008,A10=7.1424e-010,A12=0.0000e+000,
A14=0.0000e+000,A16=0.0000e+000,A18=0.0000e+000,A20=0.0000e+000
第７面 
K=0.0000
A4=2.5880e-003,A6=-9.2779e-005,A8=1.8759e-006,A10=-7.5769e-009,A12=1.3401e-010,
A14=0.0000e+000,A16=0.0000e+000,A18=0.0000e+000,A20=0.0000e+000
第８面 
K=0.0000
A4=-2.6347e-003,A6=2.6002e-004,A8=-1.2332e-005,A10=-4.4875e-007,A12=-2.0305e-17,
A14=0.0000e+000,A16=0.0000e+000,A18=0.0000e+000,A20=0.0000e+000
第９面 
K=0.0000
A4=-2.6188e-003,A6=1.4839e-004,A8=4.7980e-006,A10=-5.4452e-007,A12=0.0000e+000,
A14=0.0000e+000,A16=0.0000e+000,A18=0.0000e+000,A20=0.0000e+000
第１０面 
K=0.0000
A4=-1.5316e-003,A6=3.7614e-005,A8=5.0716e-006,A10=-4.3057e-007,A12=0.0000e+000,
A14=0.0000e+000,A16=0.0000e+000,A18=0.0000e+000,A20=0.0000e+000
第１２面 
K=0.0000
A4=-5.6964e-004,A6=-5.9759e-006,A8=-4.5718e-007,A10=-4.9841e-009,A12=0.0000e+000,A14=0.0000e+000,A16=0.0000e+000,A18=0.0000e+000,A20=0.0000e+000
第１３面 
K=0.0000
A4=6.7886e-004,A6=-8.5657e-007,A8=-7.2592e-007,A10=2.7596e-008,A12=0.0000e+000,
A14=0.0000e+000,A16=0.0000e+000,A18=0.0000e+000,A20=0.0000e+000
第１６面 
K=0.0000
A4=5.4934e-004,A6=-3.8225e-006,A8=7.2022e-006,A10=0.0000e+000,A12=0.0000e+000,
A14=0.0000e+000,A16=0.0000e+000,A18=0.0000e+000,A20=0.0000e+000
第１７面 
K=0.0000
A4=9.0650e-005,A6=1.8598e-005,A8=-1.9297e-006,A10=-2.8070e-007,A12=0.0000e+000,
A14=0.0000e+000,A16=0.0000e+000,A18=0.0000e+000,A20=0.0000e+000
第１８面 
K=0.0000
A4=2.6083e-004,A6=8.0671e-005,A8=-9.6113e-006,A10=2.5452e-007,A12=0.0000e+000,
A14=0.0000e+000,A16=0.0000e+000,A18=0.0000e+000,A20=0.0000e+000
第１９面 
K=0.0000
A4=-1.2004e-003,A6=8.6293e-005,A8=-2.2816e-006,A10=7.7051e-009,A12=0.0000e+000,
A14=0.0000e+000,A16=0.0000e+000,A18=0.0000e+000,A20=0.0000e+000
第２０面 
K=0.0000
A4=-2.9798e-005,A6=7.0421e-005,A8=-1.5739e-006,A10=-1.4524e-009,A12=0.0000e+000,
A14=0.0000e+000,A16=0.0000e+000,A18=0.0000e+000,A20=0.0000e+000
ズームデータ
広角端          中間          望遠端
f (mm)              5.100         11.150         24.479
F No.               3.151          4.406          6.411
2ω(画角)          72.51          36.99          17.44 
FB (mm)             0.000         -0.000          0.001
d6                  0.740          5.185          8.718
d10                 8.678          4.233          0.700
d11                 8.335          4.895          0.894
d16                 2.850          3.003          3.380
d18                 2.300          5.587          9.210
【０２４１】
数値実施例３
単位  ｍｍ
面データ
面番号      r              d            nd             νd   
物面       ∞             ∞  
1*      -11.511          0.928        1.63493          23.90
2*       50.894          1.250
3          ∞           11.200        1.84666          23.78
4          ∞            0.200
5*       10.309          2.741        1.53071          55.69
6*      -17.594          可変
7*       -8.305          0.600        1.53071          55.69
8*        4.225          1.374
9*        7.207          1.594        1.63493          23.90
10*      34.700          可変  
11(絞り)   ∞            可変
12*       6.544          2.596        1.49710          81.56
13*     -13.683          4.281
14      -49.276          0.400        1.90366          31.32
15        4.700          2.559        1.58313          59.38
16*      -9.700          可変  
17*      -5.770          0.600        1.53071          55.69
18*     -91.919          可変  
19*      33.788          2.472        1.53071          55.69
20*      -6.436          0.100
21         ∞            0.100
22         ∞            0.000
23         ∞            0.300
24         ∞            0.500        1.51633          64.14
25         ∞            0.500
26         ∞            0.500        1.51633          64.14
27         ∞            0.370
像面（撮像面）∞
絞り面             11    
非球面データ
第１面 
K=0.0000
A4=4.9972e-004,A6=-2.3425e-006,A8=1.3186e-008,A10=-4.8194e-011,A12=0.0000e+000,
A14=0.0000e+000,A16=0.0000e+000,A18=0.0000e+000,A20=0.0000e+000
第２面 
K=0.0000
A4=1.6362e-004,A6=1.5947e-006,A8=1.5170e-008,A10=-2.6936e-011,A12=0.0000e+000,
A14=0.0000e+000,A16=0.0000e+000,A18=0.0000e+000,A20=0.0000e+000
第５面 
K=0.0000
A4=-2.9464e-004,A6=-5.6622e-006,A8=1.7708e-007,A10=-2.3738e-009,A12=0.0000e+000,
A14=0.0000e+000,A16=0.0000e+000,A18=0.0000e+000,A20=0.0000e+000
第６面 
K=0.0000
A4=3.2514e-005,A6=-7.3926e-006,A8=2.5331e-007,A10=-3.4476e-009,A12=0.0000e+000,
A14=0.0000e+000,A16=0.0000e+000,A18=0.0000e+000,A20=0.0000e+000
第７面 
K=0.0000
A4=1.9657e-003,A6=-6.8617e-005,A8=2.1174e-007,A10=3.6314e-008,A12=0.0000e+000,
A14=0.0000e+000,A16=0.0000e+000,A18=0.0000e+000,A20=0.0000e+000
第８面 
K=0.0000
A4=-2.2882e-003,A6=1.9187e-004,A8=-1.4852e-005,A10=1.1936e-007,A12=0.0000e+000,
A14=0.0000e+000,A16=0.0000e+000,A18=0.0000e+000,A20=0.0000e+000
第９面 
K=0.0000
A4=-2.1197e-003,A6=9.8756e-005,A8=1.0983e-006,A10=0.0000e+000,A12=0.0000e+000,
A14=0.0000e+000,A16=0.0000e+000,A18=0.0000e+000,A20=0.0000e+000
第１０面 
K=0.0000
A4=-9.1524e-004,A6=-1.9018e-006,A8=3.2296e-006,A10=0.0000e+000,A12=0.0000e+000,
A14=0.0000e+000,A16=0.0000e+000,A18=0.0000e+000,A20=0.0000e+000
第１２面 
K=0.0000
A4=-4.4011e-004,A6=-3.5561e-006,A8=1.4735e-007,A10=0.0000e+000,A12=0.0000e+000,
A14=0.0000e+000,A16=0.0000e+000,A18=0.0000e+000,A20=0.0000e+000
第１３面 
K=0.0000
A4=3.1272e-004,A6=-1.8102e-006,A8=2.8584e-007,A10=0.0000e+000,A12=0.0000e+000,
A14=0.0000e+000,A16=0.0000e+000,A18=0.0000e+000,A20=0.0000e+000
第１６面 
K=0.0000
A4=8.3333e-005,A6=8.7092e-006,A8=0.0000e+000,A10=0.0000e+000,A12=0.0000e+000,
A14=0.0000e+000,A16=0.0000e+000,A18=0.0000e+000,A20=0.0000e+000
第１７面 
K=0.0000
A4=3.2306e-003,A6=3.2226e-005,A8=-4.8581e-007,A10=0.0000e+000,A12=0.0000e+000,
A14=0.0000e+000,A16=0.0000e+000,A18=0.0000e+000,A20=0.0000e+000
第１８面 
K=0.0000
A4=2.8045e-003,A6=3.1408e-005,A8=-2.0575e-006,A10=0.0000e+000,A12=0.0000e+000,
A14=0.0000e+000,A16=0.0000e+000,A18=0.0000e+000,A20=0.0000e+000
第１９面 
K=0.0000
A4=-1.0905e-003,A6=6.7868e-005,A8=-1.9442e-006,A10=0.0000e+000,A12=0.0000e+000,
A14=0.0000e+000,A16=0.0000e+000,A18=0.0000e+000,A20=0.0000e+000
第２０面 
K=0.0000
A4=1.1741e-003,A6=9.6689e-008,A8=-5.6976e-007,A10=0.0000e+000,A12=0.0000e+000,
A14=0.0000e+000,A16=0.0000e+000,A18=0.0000e+000,A20=0.0000e+000
ズームデータ
広角端          中間          望遠端
f (mm)              5.100         11.146         24.472
F No.               3.978          4.331          6.574
2w (画角)          76.44          37.17          17.29  
FB (mm)             0.000          0.001          0.001
d6                  0.732          5.165          8.817
d10                 9.445          5.012          1.360
d11                 9.300          5.169          0.500
d16                 3.389          3.609          4.961
d18                 1.971          5.881          9.198
【０２４２】
数値実施例４
単位  ｍｍ
面データ
面番号      r              d            nd             νd   
物面       ∞             ∞  
1       -31.688          0.500        1.84666          23.78
2        24.341          1.300
3          ∞           11.500        1.84666          23.78
4          ∞            0.200
5*       11.126          2.848        1.53071          55.69
6*      -15.073          可変  
7*       -8.694          0.700        1.53071          55.69
8*        4.255          2.691
9*       11.459          1.957        1.82115          24.06
10*      48.854          可変  
11(絞り)   ∞            可変  
12*       5.934          3.000        1.49710          81.56
13*     -13.995          2.743
14         ∞            0.000
15         ∞            1.000
16      -19.937          0.400        1.90366          31.32
17        4.931          2.200        1.58313          59.38
18*      -9.700          可変  
19*     -10.217          0.600        1.53071          55.69
20*      24.121          可変  
21*      29.659          2.465        1.53071          55.69
22*      -6.981          0.100
23         ∞            0.100
24         ∞            0.030
25         ∞            0.300
26         ∞            0.500        1.51633          64.14
27         ∞            0.500
28         ∞            0.500        1.51633          64.14
29         ∞            0.370
像面（撮像面）∞
絞り面             11    
非球面データ
第５面 
K=0.0000
A4=-1.6106e-004,A6=-2.2807e-008,A8=3.1983e-009,A10=-1.4330e-010,A12=0.0000e+000,
A14=0.0000e+000,A16=0.0000e+000,A18=0.0000e+000,A20=0.0000e+000
第６面 
K=0.0000
A4=8.7762e-005,A6=3.3101e-007,A8=-3.9786e-009,A10=-1.1715e-011,A12=0.0000e+000,
A14=0.0000e+000,A16=0.0000e+000,A18=0.0000e+000,A20=0.0000e+000
第７面 
K=0.0000
A4=2.2061e-003,A6=-5.2881e-005,A8=-1.1797e-007,A10=1.6891e-008,A12=0.0000e+000,
A14=0.0000e+000,A16=0.0000e+000,A18=0.0000e+000,A20=0.0000e+000
第８面 
K=0.0000
A4=-1.7160e-003,A6=1.7338e-004,A8=-8.9580e-006,A10=-1.7749e-007,A12=0.0000e+000,
A14=0.0000e+000,A16=0.0000e+000,A18=0.0000e+000,A20=0.0000e+000
第９面 
K=0.0000
A4=-1.2922e-003,A6=5.0235e-005,A8=5.9654e-007,A10=0.0000e+000,A12=0.0000e+000,
A14=0.0000e+000,A16=0.0000e+000,A18=0.0000e+000,A20=0.0000e+000
第１０面 
K=0.0000
A4=-8.4366e-004,A6=1.0358e-005,A8=1.1793e-006,A10=0.0000e+000,A12=0.0000e+000,
A14=0.0000e+000,A16=0.0000e+000,A18=0.0000e+000,A20=0.0000e+000
第１２面 
K=0.0000
A4=-4.0643e-004,A6=-6.2770e-006,A8=1.1928e-007,A10=-1.9111e-008,A12=0.0000e+000,
A14=0.0000e+000,A16=0.0000e+000,A18=0.0000e+000,A20=0.0000e+000
第１３面 
K=0.0000
A4=4.3811e-004,A6=-1.9065e-007,A8=-1.3069e-007,A10=-3.4151e-009,A12=0.0000e+000,
A14=0.0000e+000,A16=0.0000e+000,A18=0.0000e+000,A20=0.0000e+000
第１８面 
K=0.0000
A4=5.8554e-004,A6=3.6172e-005,A8=0.0000e+000,A10=0.0000e+000,A12=0.0000e+000,
A14=0.0000e+000,A16=0.0000e+000,A18=0.0000e+000,A20=0.0000e+000
第１９面 
K=0.0000
A4=2.4536e-003,A6=8.2125e-005,A8=-9.1481e-006,A10=0.0000e+000,A12=0.0000e+000,
A14=0.0000e+000,A16=0.0000e+000,A18=0.0000e+000,A20=0.0000e+000
第２０面 
K=0.0000
A4=2.4222e-003,A6=7.8165e-005,A8=-7.2362e-006,A10=0.0000e+000,A12=0.0000e+000,
A14=0.0000e+000,A16=0.0000e+000,A18=0.0000e+000,A20=0.0000e+000
第２１面 
K=0.0000
A4=-1.0766e-003,A6=7.1611e-005,A8=-1.5864e-006,A10=0.0000e+000,A12=0.0000e+000,
A14=0.0000e+000,A16=0.0000e+000,A18=0.0000e+000,A20=0.0000e+000
第２２面 
K=0.0000
A4=3.3290e-004,A6=4.8169e-005,A8=-1.2396e-006,A10=0.0000e+000,A12=0.0000e+000,
A14=0.0000e+000,A16=0.0000e+000,A18=0.0000e+000,A20=0.0000e+000
ズームデータ
広角端          中間          望遠端
f (mm)              5.100         11.150         24.479
F No.               3.533          4.777          6.508
2w (画角)          74.48          37.07          17.41 
FB (mm)             0.000          0.000          0.000
d6                  0.500          5.211          9.548
d10                10.408          5.697          1.360
d11                 7.799          4.092          0.500
d18                 3.595          3.572          3.212
d20                 2.196          5.926          9.877
【０２４３】
数値実施例５
単位  ｍｍ
面データ
面番号      r              d            nd             νd   
物面       ∞             ∞  
1       -40.120          0.500        2.00069          25.46
2        30.215          1.130
3          ∞            9.700        1.84666          23.78
4          ∞            0.200
5*       11.021          2.882        1.53071          55.69
6*      -15.557          可変  
7*       -8.112          0.700        1.53071          55.69
8*        4.088          2.326
9*       10.305          1.620        1.63493          23.90
10*     151.809          可変  
11(絞り)   ∞            可変   
12*       5.391          3.170        1.49710          81.56
13*     -11.653          1.733
14         ∞            0.000
15         ∞            1.000
16      -30.020          0.400        1.90366          31.32
17        4.931          2.200        1.58313          59.38
18*      -9.700          可変   
19      -11.009          0.600        1.53071          55.69
20*       7.864          可変   
21*      20.112          2.567        1.53071          55.69
22*      -7.642          0.100
23         ∞            0.100
24         ∞            0.030
25         ∞            0.300
26         ∞            0.500        1.51633          64.14
27         ∞            0.500
28         ∞            0.500        1.51633          64.14
29         ∞            0.370
像面（撮像面）∞
絞り面             11    
非球面データ
第５面 
K=0.0000
A4=-1.6027e-004,A6=1.8897e-007,A8=-9.8151e-009,A10=3.0750e-011,A12=0.0000e+000,
A14=0.0000e+000,A16=0.0000e+000,A18=0.0000e+000,A20=0.0000e+000
第６面 
K=0.0000
A4=8.5188e-005,A6=4.3598e-007,A8=-1.0804e-008,A10=9.5901e-011,A12=0.0000e+000,
A14=0.0000e+000,A16=0.0000e+000,A18=0.0000e+000,A20=0.0000e+000
第７面 
K=0.0000
A4=2.7889e-003,A6=-8.3570e-005,A8=1.0504e-006,A10=-1.1420e-008,A12=4.9094e-010,
A14=0.0000e+000,A16=0.0000e+000,A18=0.0000e+000,A20=0.0000e+000
第８面 
K=0.0000
A4=-1.8509e-003,A6=2.1469e-004,A8=-6.0887e-006,A10=-5.2565e-007,A12=-2.0287e-017,A14=0.0000e+000,A16=0.0000e+000,A18=0.0000e+000,A20=0.0000e+000
第９面 
K=0.0000
A4=-2.6233e-003,A6=9.9715e-005,A8=1.0603e-006,A10=-1.8643e-008,A12=0.0000e+000,
A14=0.0000e+000,A16=0.0000e+000,A18=0.0000e+000,A20=0.0000e+000
第１０面 
K=0.0000
A4=-1.7284e-003,A6=1.9504e-005,A8=1.7897e-006,A10=-4.3953e-008,A12=0.0000e+000,
A14=0.0000e+000,A16=0.0000e+000,A18=0.0000e+000,A20=0.0000e+000
第１２面 
K=0.0000
A4=-5.2312e-004,A6=-5.9748e-006,A8=-2.9611e-007,A10=-1.8032e-008,A12=0.0000e+000,A14=0.0000e+000,A16=0.0000e+000,A18=0.0000e+000,A20=0.0000e+000
第１３面 
K=0.0000
A4=7.9611e-004,A6=-6.0960e-007,A8=-9.3249e-007,A10=2.8764e-008,A12=0.0000e+000,
A14=0.0000e+000,A16=0.0000e+000,A18=0.0000e+000,A20=0.0000e+000
第１８面 
K=0.0000
A4=8.1470e-004,A6=1.7490e-005,A8=5.7051e-006,A10=0.0000e+000,A12=0.0000e+000,
A14=0.0000e+000,A16=0.0000e+000,A18=0.0000e+000,A20=0.0000e+000
第２０面 
K=0.0000
A4=1.2125e-004,A6=3.4415e-005,A8=-5.5080e-006,A10=2.1978e-007,A12=0.0000e+000,
A14=0.0000e+000,A16=0.0000e+000,A18=0.0000e+000,A20=0.0000e+000
第２１面 
K=0.0000
A4=1.9795e-005,A6=1.7883e-005,A8=-1.1442e-006,A10=2.1724e-008,A12=0.0000e+000,
A14=0.0000e+000,A16=0.0000e+000,A18=0.0000e+000,A20=0.0000e+000
第２２面 
K=0.0000
A4=1.3430e-003,A6=-4.1407e-005,A8=7.3715e-007,A10=0.0000e+000,A12=0.0000e+000,
A14=0.0000e+000,A16=0.0000e+000,A18=0.0000e+000,A20=0.0000e+000
ズームデータ
広角端          中間          望遠端
f (mm)              5.100         11.150         24.478
F No.               3.508          4.707          6.539
2w (画角)          74.32          37.17          17.46 
FB (mm)             0.000          0.000          0.001
d6                  0.514          5.687          9.774
d10                 9.960          4.787          0.700
d11                 6.754          3.819          0.500
d18                 2.418          2.836          3.235
d20                 2.726          5.243          8.164
【０２４４】
数値実施例６
単位  ｍｍ
面データ
面番号      r              d            nd             νd   
物面       ∞             ∞  
1*      -18.198          0.700        1.63493          23.90
2*       28.716          1.523
3          ∞            9.700        1.84666          23.78
4          ∞            0.200
5*       22.225          1.700        1.53071          55.69
6*      -42.144          0.100
7        19.096          1.920        1.60300          65.44
8       -28.904          可変
9*       -9.944          0.550        1.61881          63.85
10*       3.874          1.060
11*       7.847          1.406        1.63493          23.90
12*      63.708          可変
13(絞り)   ∞            可変
14*       6.004          2.995        1.49710          81.56
15*     -10.669          2.019
16         ∞            0.000
17         ∞            1.000
18     -149.962          0.350        1.90366          31.32
19        4.931          2.395        1.58313          59.38
20*      -9.400          可変
21*      -4.439          0.600        1.53071          55.69
22*     -44.564          可変
23*      37.844          2.143        1.53071          55.69
24*      -7.327          0.100
25         ∞            0.100
26         ∞            0.000
27         ∞            0.300
28         ∞            0.500        1.51633          64.14
29         ∞            0.500
30         ∞            0.500        1.51633          64.14
31         ∞            0.370
像面（撮像面）∞
絞り面             13    
非球面データ
第１面 
K=0.0000
A4=3.5910e-004,A6=-1.5689e-006,A8=3.3159e-009,A10=0.0000e+000,A12=0.0000e+000,
A14=0.0000e+000,A16=0.0000e+000,A18=0.0000e+000,A20=0.0000e+000
第２面 
K=0.0000
A4=2.7242e-004,A6=2.6470e-007,A8=3.7041e-008,A10=0.0000e+000,A12=0.0000e+000,
A14=0.0000e+000,A16=0.0000e+000,A18=0.0000e+000,A20=0.0000e+000
第５面 
K=0.0000
A4=-3.1240e-004,A6=-4.9883e-006,A8=5.3872e-008,A10=1.3165e-010,A12=0.0000e+000,
A14=0.0000e+000,A16=0.0000e+000,A18=0.0000e+000,A20=0.0000e+000
第６面 
K=0.0000
A4=-1.8909e-004,A6=-5.2332e-006,A8=4.4809e-008,A10=0.0000e+000,A12=0.0000e+000,
A14=0.0000e+000,A16=0.0000e+000,A18=0.0000e+000,A20=0.0000e+000
第９面 
K=0.0000
A4=1.5041e-003,A6=-6.3720e-005,A8=2.2526e-007,A10=1.0477e-008,A12=0.0000e+000,
A14=0.0000e+000,A16=0.0000e+000,A18=0.0000e+000,A20=0.0000e+000
第１０面 
K=0.0000
A4=-2.1206e-003,A6=1.3276e-004,A8=-6.5650e-006,A10=-1.0229e-006,A12=0.0000e+000,
A14=0.0000e+000,A16=0.0000e+000,A18=0.0000e+000,A20=0.0000e+000
第１１面 
K=0.0000
A4=-2.3501e-003,A6=9.2938e-005,A8=-8.9496e-007,A10=0.0000e+000,A12=0.0000e+000,
A14=0.0000e+000,A16=0.0000e+000,A18=0.0000e+000,A20=0.0000e+000
第１２面 
K=0.0000
A4=-1.5850e-003,A6=-4.2787e-005,A8=1.7115e-006,A10=0.0000e+000,A12=0.0000e+000,
A14=0.0000e+000,A16=0.0000e+000,A18=0.0000e+000,A20=0.0000e+000
第１４面 
K=0.0000
A4=-5.7540e-004,A6=-4.5954e-006,A8=1.0108e-007,A10=-7.7570e-009,A12=0.0000e+000,
A14=0.0000e+000,A16=0.0000e+000,A18=0.0000e+000,A20=0.0000e+000
第１５面 
K=0.0000
A4=6.7048e-004,A6=-5.8899e-006,A8=1.5882e-007,A10=-3.9850e-009,A12=0.0000e+000,
A14=0.0000e+000,A16=0.0000e+000,A18=0.0000e+000,A20=0.0000e+000
第２０面 
K=0.0000
A4=-2.5023e-004,A6=5.0240e-005,A8=2.1356e-006,A10=-4.4834e-008,A12=0.0000e+000,
A14=0.0000e+000,A16=0.0000e+000,A18=0.0000e+000,A20=0.0000e+000
第２１面 
K=0.0000
A4=4.1362e-003,A6=2.7400e-004,A8=-1.1371e-005,A10=0.0000e+000,A12=0.0000e+000,
A14=0.0000e+000,A16=0.0000e+000,A18=0.0000e+000,A20=0.0000e+000
第２２面 
K=0.0000
A4=3.6322e-003,A6=9.4347e-005,A8=-7.0150e-006,A10=0.0000e+000,A12=0.0000e+000,
A14=0.0000e+000,A16=0.0000e+000,A18=0.0000e+000,A20=0.0000e+000
第２３面 
K=0.0000
A4=3.3787e-004,A6=1.0126e-005,A8=-1.2002e-006,A10=0.0000e+000,A12=0.0000e+000,
A14=0.0000e+000,A16=0.0000e+000,A18=0.0000e+000,A20=0.0000e+000
第２４面 
K=0.0000
A4=2.7327e-003,A6=-8.6075e-005,A8=5.1667e-007,A10=0.0000e+000,A12=0.0000e+000,
A14=0.0000e+000,A16=0.0000e+000,A18=0.0000e+000,A20=0.0000e+000
ズームデータ
広角端          中間          望遠端
f (mm)              5.100         11.149         24.480
F No.               3.603          4.127          6.575
2w (画角)          74.25          37.03          17.23  
FB (mm)             0.000          0.000          0.006
d8                  0.800          5.100          7.406
d12                 7.966          3.667          1.360
d13                 7.535          4.969          0.500
d20                 2.561          2.934          3.613
d22                 2.907          5.099          8.883
【０２４５】
数値実施例７
単位  ｍｍ
面データ
面番号      r              d            nd             νd   
物面       ∞             ∞  
1*      -14.503          1.000        1.63493          23.90
2*       74.969          1.250
3          ∞           11.500        1.84666          23.78
4          ∞            0.200
5*       14.422          2.390        1.53071          55.69
6*      -14.445          可変  
7*       -8.001          0.700        1.53071          55.69
8*        3.969          1.713
9*        6.005          1.302        1.63493          23.90
10*      12.119          可変  
11       31.266          0.700        1.72000          41.98
12      -42.026          0.640
13(絞り)   ∞            可変  
14*       6.701          4.744        1.49710          81.56
15*     -19.645          1.469
16      -30.900          0.673        1.90366          31.32
17        4.931          2.422        1.58313          59.38
18*      -9.890          可変
19*      -5.791          0.600        1.53071          55.69
20*    -183.049          可変
21*      25.035          2.625        1.53071          55.69
22*      -6.801          0.100
23         ∞            0.100
24         ∞            0.000
25         ∞            0.785
26         ∞            0.500        1.51633          64.14
27         ∞            0.500
28         ∞            0.500        1.51633          64.14
29         ∞            0.370
像面（撮像面）∞
絞り面             13    
非球面データ 
第１面 
K=0.0000
A4=2.2771e-004,A6=2.8251e-006,A8=-2.6927e-008,A10=0.0000e+000,A12=0.0000e+000,
A14=0.0000e+000,A16=0.0000e+000,A18=0.0000e+000,A20=0.0000e+000
第２面 
K=0.0000
A4=1.6948e-004,A6=3.5161e-006,A8=4.8992e-008,A10=0.0000e+000,A12=0.0000e+000,
A14=0.0000e+000,A16=0.0000e+000,A18=0.0000e+000,A20=0.0000e+000
第５面 
K=0.0000
A4=-1.5536e-004,A6=-4.2184e-006,A8=1.1067e-007,A10=-8.4449e-010,A12=0.0000e+000,
A14=0.0000e+000,A16=0.0000e+000,A18=0.0000e+000,A20=0.0000e+000
第６面 
K=0.0000
A4=3.0475e-005,A6=-4.3313e-006,A8=1.0109e-007,A10=-8.0372e-010,A12=0.0000e+000,
A14=0.0000e+000,A16=0.0000e+000,A18=0.0000e+000,A20=0.0000e+000
第７面 
K=0.0000
A4=2.2842e-003,A6=-5.0757e-005,A8=-3.0632e-007,A10=3.6490e-008,A12=0.0000e+000,
A14=0.0000e+000,A16=0.0000e+000,A18=0.0000e+000,A20=0.0000e+000
第８面 
K=0.0000
A4=-2.3954e-003,A6=1.3979e-004,A8=-9.1577e-006,A10=-3.5923e-007,A12=0.0000e+000,
A14=0.0000e+000,A16=0.0000e+000,A18=0.0000e+000,A20=0.0000e+000
第９面 
K=0.0000
A4=-2.1094e-003,A6=6.6145e-005,A8=-5.2890e-007,A10=-2.2237e-007,A12=0.0000e+000,
A14=0.0000e+000,A16=0.0000e+000,A18=0.0000e+000,A20=0.0000e+000
第１０面 
K=0.0000
A4=-8.3168e-004,A6=3.2335e-006,A8=6.0508e-007,A10=-2.0665e-007,A12=0.0000e+000,
A14=0.0000e+000,A16=0.0000e+000,A18=0.0000e+000,A20=0.0000e+000
第１４面 
K=0.0000
A4=-1.9406e-004,A6=-4.8533e-006,A8=6.9648e-008,A10=0.0000e+000,A12=0.0000e+000,
A14=0.0000e+000,A16=0.0000e+000,A18=0.0000e+000,A20=0.0000e+000
第１５面 
K=0.0000
A4=3.6640e-004,A6=-1.1425e-005,A8=4.3805e-007,A10=0.0000e+000,A12=0.0000e+000,
A14=0.0000e+000,A16=0.0000e+000,A18=0.0000e+000,A20=0.0000e+000
第１８面 
K=0.0000
A4=-9.5646e-005,A6=6.6259e-005,A8=-4.8082e-006,A10=5.8594e-008,A12=0.0000e+000,
A14=0.0000e+000,A16=0.0000e+000,A18=0.0000e+000,A20=0.0000e+000
第１９面 
K=0.0000
A4=5.5183e-003,A6=1.4495e-004,A8=-2.8741e-005,A10=0.0000e+000,A12=0.0000e+000,
A14=0.0000e+000,A16=0.0000e+000,A18=0.0000e+000,A20=0.0000e+000
第２０面 
K=0.0000
A4=5.0156e-003,A6=1.4579e-004,A8=-2.2769e-005,A10=0.0000e+000,A12=0.0000e+000,
A14=0.0000e+000,A16=0.0000e+000,A18=0.0000e+000,A20=0.0000e+000
第２１面 
K=0.0000
A4=-1.1323e-003,A6=2.8866e-005,A8=-1.8637e-007,A10=0.0000e+000,A12=0.0000e+000,
A14=0.0000e+000,A16=0.0000e+000,A18=0.0000e+000,A20=0.0000e+000
第２２面 
K=0.0000
A4=4.8645e-004,A6=-9.5063e-006,A8=4.2730e-007,A10=0.0000e+000,A12=0.0000e+000,
A14=0.0000e+000,A16=0.0000e+000,A18=0.0000e+000,A20=0.0000e+000
ズームデータ
広角端          中間          望遠端
f (mm)              5.100         11.149         24.479
F No.               4.091          5.689          6.665
2w (画角)          74.24          38.21          17.17   
FB (mm)             0.001          0.001          0.001
d6                  0.514          5.188         10.730
d10                11.576          6.902          1.360
d13                 9.087          3.145          0.500
d18                 3.369          3.252          5.428
d20                 1.673          7.731          8.200
【０２４６】
数値実施例８
単位  ｍｍ
面データ
面番号      r              d            nd             νd   
物面       ∞             ∞  
1*      -20.883          0.500        1.85026          32.27
2*       41.037          1.300
3          ∞           11.500        1.84666          23.78
4          ∞            0.200
5*       12.001          2.292        1.55332          71.68
6*      -16.307          可変
7*       -6.026          0.700        1.53071          55.69
8*        4.298          2.251
9*        9.709          1.696        1.74000          33.00
10*    -545.261          可変  
11(絞り)   ∞            可変  
12*       6.468          2.687        1.49710          81.56
13*     -15.783          2.638
14         ∞            0.000
15         ∞            1.000
16       58.313          0.400        1.91082          35.25
17        4.931          2.251        1.49700          81.54
18*     -13.639          可変  
19*      -6.680          0.632        1.53071          55.69
20*    2249.607          可変  
21*      29.622          2.625        1.49700          81.54
22*      -6.094          0.100
23         ∞            0.100
24         ∞            0.030
25         ∞            0.300
26         ∞            0.500        1.51633          64.14
27         ∞            0.500
28         ∞            0.500        1.51633          64.14
29         ∞            0.370
像面（撮像面）∞
絞り面             11    
非球面データ 
第１面 
K=0.0000
A4=2.2584e-004,A6=-8.4411e-007,A8=2.1742e-010,A10=0.0000e+000,A12=0.0000e+000,
A14=0.0000e+000,A16=0.0000e+000,A18=0.0000e+000,A20=0.0000e+000
第２面 
K=0.0000
A4=1.7966e-004,A6=9.7989e-007,A8=-6.3676e-009,A10=0.0000e+000,A12=0.0000e+000,
A14=0.0000e+000,A16=0.0000e+000,A18=0.0000e+000,A20=0.0000e+000
第５面 
K=0.0000
A4=-1.7569e-004,A6=-1.2790e-006,A8=3.9206e-008,A10=-3.8393e-010,A12=0.0000e+000,
A14=0.0000e+000,A16=0.0000e+000,A18=0.0000e+000,A20=0.0000e+000
第６面 
K=0.0000
A4=4.4552e-005,A6=-1.7066e-006,A8=4.5289e-008,A10=-3.9478e-010,A12=0.0000e+000,
A14=0.0000e+000,A16=0.0000e+000,A18=0.0000e+000,A20=0.0000e+000
第７面 
K=0.0000
A4=3.2106e-003,A6=-7.0171e-005,A8=-2.1867e-007,A10=5.2394e-008,A12=0.0000e+000,
A14=0.0000e+000,A16=0.0000e+000,A18=0.0000e+000,A20=0.0000e+000
第８面 
K=0.0000
A4=-3.1055e-003,A6=2.9811e-004,A8=-2.1928e-005,A10=3.2010e-007,A12=0.0000e+000,
A14=0.0000e+000,A16=0.0000e+000,A18=0.0000e+000,A20=0.0000e+000
第９面 
K=0.0000
A4=-1.7771e-003,A6=6.3729e-005,A8=9.4242e-007,A10=0.0000e+000,A12=0.0000e+000,
A14=0.0000e+000,A16=0.0000e+000,A18=0.0000e+000,A20=0.0000e+000
第１０面 
K=0.0000
A4=-7.5115e-004,A6=-1.4955e-007,A8=1.9826e-006,A10=0.0000e+000,A12=0.0000e+000,
A14=0.0000e+000,A16=0.0000e+000,A18=0.0000e+000,A20=0.0000e+000
第１２面 
K=0.0000
A4=-3.6539e-004,A6=-8.3818e-006,A8=-1.8118e-007,A10=4.5343e-009,A12=0.0000e+000,
A14=0.0000e+000,A16=0.0000e+000,A18=0.0000e+000,A20=0.0000e+000
第１３面 
K=0.0000
A4=3.3756e-004,A6=-1.1872e-005,A8=7.3857e-008,A10=8.9736e-009,A12=0.0000e+000,
A14=0.0000e+000,A16=0.0000e+000,A18=0.0000e+000,A20=0.0000e+000
第１８面 
K=0.0000
A4=2.0844e-004,A6=6.4187e-005,A8=1.2920e-006,A10=-2.9443e-007,A12=0.0000e+000,
A14=0.0000e+000,A16=0.0000e+000,A18=0.0000e+000,A20=0.0000e+000
第１９面 
K=0.0000
A4=5.4393e-003,A6=1.3117e-004,A8=-2.3404e-005,A10=0.0000e+000,A12=0.0000e+000,
A14=0.0000e+000,A16=0.0000e+000,A18=0.0000e+000,A20=0.0000e+000
第２０面 
K=0.0000
A4=5.0543e-003,A6=1.3245e-004,A8=-2.0692e-005,A10=0.0000e+000,A12=0.0000e+000,
A14=0.0000e+000,A16=0.0000e+000,A18=0.0000e+000,A20=0.0000e+000
第２１面 
K=0.0000
A4=-1.3721e-003,A6=9.7943e-005,A8=-2.9856e-006,A10=0.0000e+000,A12=0.0000e+000,
A14=0.0000e+000,A16=0.0000e+000,A18=0.0000e+000,A20=0.0000e+000
第２２面 
K=0.0000
A4=9.2047e-004,A6=3.4950e-005,A8=-1.4447e-006,A10=0.0000e+000,A12=0.0000e+000,
A14=0.0000e+000,A16=0.0000e+000,A18=0.0000e+000,A20=0.0000e+000
ズームデータ
広角端          中間          望遠端
f (mm)              5.100         11.150         24.480
F No.               3.769          4.825          6.276
2w (画角)          74.24          37.06          17.36  
FB (mm)             0.000          0.000         -0.000
d6                  0.947          6.134         11.204
d10                11.617          6.430          1.360
d11                 7.294          3.671          0.500
d18                 4.291          4.066          3.200
d20                 1.780          5.627          9.665
【０２４７】
各実施例の条件式対応値を以下に示す。
条件式        (１)       (２)      (３)      (４)      (５)      (８)
第１実施例      0.274      3.546     2.681     0.442     0.505     0.901
第２実施例      0.498      4.391     3.422     0.525     0.428     0.973
第３実施例      0.342      4.346     3.125     0.475     0.431     0.787
第４実施例      0.694      4.248     3.587     0.549     0.469     1.065
第５実施例      0.602      4.660     2.274     0.349     0.365     1.128
第６実施例      0.275      3.744     2.518     0.381     0.483     1.163
第７実施例      0.444      4.920     3.054     0.461     0.404     1.499
第８実施例      0.583      4.542     3.358     0.513     0.441     0.572
【０２４８】
第１実施例
レンズ 屈折力符号     材質             条件式(6)   条件式(7)
第1正レンズ群   L1     負     ポリカーボネイト           1.2      1.63493
第1負レンズ群   L5     正     ポリカーボネイト           1.2      1.63493
第2負レンズ群   L9     負     シクロオレフィンポリマー   1.01     1.53071
【０２４９】
第２実施例
レンズ 屈折力符号     材質             条件式(6)   条件式(7)
第1正レンズ群   L1     負     ポリカーボネイト           1.2      1.63493
L3     正     シクロオレフィンポリマー   1.01     1.53071
第1負レンズ群   L4     負     シクロオレフィンポリマー   1.01     1.53071
L5     正     ポリカーボネイト           1.2      1.63493
第2負レンズ群   L9     負     シクロオレフィンポリマー   1.01     1.53071
【０２５０】
第３実施例
レンズ 屈折力符号     材質             条件式(6)   条件式(7)
第1正レンズ群   L1     負     ポリカーボネイト           1.2      1.63493
L3     正     シクロオレフィンポリマー   1.01     1.53071
第1負レンズ群   L4     負     シクロオレフィンポリマー   1.01     1.53071
L5     正     ポリカーボネイト           1.2      1.63493
第2負レンズ群   L9     負     シクロオレフィンポリマー   1.01     1.53071
【０２５１】
第４実施例
レンズ 屈折力符号     材質             条件式(6)   条件式(7)
第1正レンズ群   L3     正     シクロオレフィンポリマー   1.01     1.53071
第1負レンズ群   L4     負     シクロオレフィンポリマー   1.01     1.53071
第2負レンズ群   L9     負     シクロオレフィンポリマー   1.01     1.53071
【０２５２】
第５実施例
レンズ 屈折力符号     材質             条件式(6)   条件式(7)
第1正レンズ群   L3     正     シクロオレフィンポリマー   1.01     1.53071
第1負レンズ群   L4     負     シクロオレフィンポリマー   1.01     1.53071
L5     正     ポリカーボネイト           1.2      1.63493
第2負レンズ群   L9     負     シクロオレフィンポリマー   1.01     1.53071
【０２５３】
第６実施例
レンズ 屈折力符号     材質             条件式(6)   条件式(7)
第1正レンズ群   L1     負     ポリカーボネイト           1.2      1.63493
L3     正     シクロオレフィンポリマー   1.01     1.53071
第1負レンズ群   L6     正     ポリカーボネイト           1.2      1.63493
第2負レンズ群   L10    負     シクロオレフィンポリマー   1.01     1.53071
【０２５４】
第７実施例
レンズ 屈折力符号     材質             条件式(6)   条件式(7)
第1正レンズ群   L1     負     ポリカーボネイト           1.2      1.63493
L3     正     シクロオレフィンポリマー   1.01     1.53071
第1負レンズ群   L4     負     シクロオレフィンポリマー   1.01     1.53071
L5     正     ポリカーボネイト           1.2      1.63493
第2負レンズ群   L10    負     シクロオレフィンポリマー   1.01     1.53071
【０２５５】
第８実施例
レンズ 屈折力符号     材質             条件式(6)   条件式(7)
第1負レンズ群   L4     負     シクロオレフィンポリマー   1.01     1.53071
L5     正     エピスルフィド系樹脂       1.46     1.74
第2負レンズ群   L9     負     シクロオレフィンポリマー   1.01     1.53071
【０２５６】
以上の実施例１〜８の無限遠物点合焦時の収差図をそれぞれ図９〜図１６に示す。また各図中、”ＦＩＹ”は最大像高を示す。
【０２５７】
これらの収差図において、（ａ）、（ｂ）、（ｃ）、（ｄ）は、それぞれ、広角端における球面収差（ＳＡ）、非点収差（ＡＳ）、歪曲収差（ＤＴ）、倍率色収差（ＣＣ）を示す。
【０２５８】
また、（ｅ）、（ｆ）、（ｇ）、（ｈ）は、それぞれ、中間焦点距離状態における球面収差（ＳＡ）、非点収差（ＡＳ）、歪曲収差（ＤＴ）、倍率色収差（ＣＣ）を示す。
【０２５９】
また、（ｉ）、（ｊ）、（ｋ）、（ｌ）は、それぞれ、望遠端における球面収差（ＳＡ）、非点収差（ＡＳ）、歪曲収差（ＤＴ）、倍率色収差（ＣＣ）を示す。
【０２６０】
次に、各実施例における条件式の値を掲げる。
【０２６１】
（歪曲収差の補正）
ところで、本発明のズームレンズを用いたときに、像の歪曲は電気的にデジタル補正する。以下に、像の歪曲をデジタル補正するための基本的概念について説明する。
【０２６２】
例えば、図１７に示すように、光軸と撮像面との交点を中心として有効撮像面の長辺に内接する半径Ｒの円周上（像高）での倍率を固定し、この円周を補正の基準とする。そして、それ以外の任意の半径ｒ（ω）の円周上（像高）の各点を略放射方向に移動させて、半径ｒ’（ω）となるように同心円状に移動させることで補正する。
【０２６３】
例えば、図１７において、半径Ｒの円の内側に位置する任意の半径ｒ１（ω）の円周上の点Ｐ１は、円の中心に向けて補正すべき半径ｒ１’（ω）の円周上の点Ｐ２に移動させる。また、半径Ｒの円の外側に位置する任意の半径ｒ２（ω）の円周上の点Ｑ１は、円の中心から離れる方向に向けて補正すべき半径ｒ２’（ω）の円周上の点Ｑ２に移動させる。
【０２６４】
ここで、ｒ’（ω）は次のように表わすことができる。
ｒ’（ω）＝α・ｆ・ｔａｎω
ここで、
ωは被写体半画角、
ｆは結像光学系（本発明では、ズームレンズ）の焦点距離、
αは０以上１以下、
である。
【０２６５】
ここで、前記半径Ｒの円上（像高）に対応する理想像高をＹとすると、
α＝Ｒ／Ｙ＝Ｒ／（ｆ・ｔａｎω）、
となる。
【０２６６】
光学系は、理想的には、光軸に対して回転対称であり、すなわち歪曲収差も光軸に対して回転対称に発生する。したがって、上述のように、光学的に発生した歪曲収差を電気的に補正する場合には、再現画像上で光軸と撮像面との交点を中心とした有効撮像面の長辺に内接する半径Ｒの円の円周上（像高）の倍率を固定して、それ以外の半径ｒ（ω）の円周上（像高）の各点を略放射方向に移動させて、半径ｒ’（ω）となるように同心円状に移動させることで補正することができれば、データ量や演算量の点で有利と考えられる。
【０２６７】
ところが、光学像は、電子撮像素子で撮像された時点で（サンプリングのため）連続量ではなくなる。したがって、厳密には光学像上に描かれる上記半径Ｒの円も、電子撮像素子上の画素が放射状に配列されていない限り正確な円ではなくなる。
【０２６８】
つまり、離散的座標点毎に表わされる画像データの形状補正においては、上記倍率を固定できる円は存在しない。そこで、各画素（Ｘｉ，Ｙｊ）毎に、移動先の座標（Ｘｉ’，Ｙｊ’）を決める方法を用いるのがよい。なお、座標（Ｘｉ’，Ｙｊ’）に（Ｘｉ，Ｙｊ）の２点以上が移動してきた場合には、各画素が有する値の平均値をとる。また、移動してくる点がない場合には、周囲のいくつかの画素の座標（Ｘｉ’，Ｙｊ’）の値を用いて補間すればよい。
【０２６９】
このような方法は、特にズームレンズを有する電子撮像装置において光学系や電子撮像素子の製造誤差等のために光軸に対して歪みが著しく、前記光学像上に描かれる上記半径Ｒの円が非対称になった場合の補正に有効である。また、撮像素子あるいは各種出力装置において信号を画像に再現する際に幾何学的歪み等が発生する場合等の補正に有効である。
【０２７０】
本発明の電子撮像装置では、補正量ｒ’（ω）−ｒ（ω）を計算するために、ｒ（ω）すなわち半画角と像高との関係、あるいは、実像高ｒと理想像高ｒ’／αとの関係が、電子撮像装置に内蔵された記録媒体に記録されている構成としてもよい。
【０２７１】
なお、歪曲補正後の画像が短辺方向の両端において光量が極端に不足することのないようにするには、前記半径Ｒが、次の条件式を満足するのがよい。
【０２７２】
０≦Ｒ≦０．６Ｌｓ
ここで、Ｌｓは有効撮像面の短辺の長さである。
【０２７３】
好ましくは、前記半径Ｒは、次の条件式を満足するのがよい。
０．３Ｌｓ≦Ｒ≦０．６Ｌｓ
さらには、半径Ｒは、略有効撮像面の短辺方向の内接円の半径に一致させるのが最も有利である。なお、半径Ｒ＝０の近傍、すなわち、軸上近傍において倍率を固定した補正の場合は、画質の面で若干の不利があるが、広画角化しても小型化にするための効果は確保できる。
【０２７４】
なお、補正が必要な焦点距離区間については、いくつかの焦点ゾーンに分割する。そして、該分割された焦点ゾーン内の望遠端近傍で略、
ｒ’（ω）＝α・ｆ・ｔａｎω
を満足する補正結果が得られる場合と同じ補正量で補正してもよい。
【０２７５】
ここで、その場合、分割された焦点ゾーン内の広角端において樽型歪曲量がある程度残存してしまう。また、分割ゾーン数を増加させてしまうと、補正のために必要な固有データを記録媒体に余計に保有する必要が生じあまり好ましくない。そこで、分割された焦点ゾーン内の各焦点距離に関連した１つ又は数個の係数を予め算出しておく。この係数は、シミュレーションや実機による測定に基づいて決定しておけばよい。
【０２７６】
そして、前記分割されたゾーン内の望遠端近傍で略、
ｒ’（ω）＝α・ｆ・ｔａｎω
を満足する補正結果が得られる場合の補正量を算出し、この補正量に対して焦点距離毎に前記係数を一律に掛けて最終的な補正量にしてもよい。
【０２７７】
ところで、無限遠物体を結像させて得られた像に歪曲がない場合は、
ｆ＝ｙ／ｔａｎω
が成立する。
ここで、ｙは像点の光軸からの高さ（像高）、ｆは結像系（本発明ではズームレンズ）の焦点距離、ωは撮像面上の中心からｙの位置に結ぶ像点に対応する物点方向の光軸に対する角度（被写体半画角）である。
【０２７８】
結像系に樽型の歪曲収差がある場合は、
ｆ＞ｙ／ｔａｎω
となる。つまり、結像系の焦点距離ｆと、像高ｙとを一定とすると、ωの値は大きくなる。
【０２７９】
（デジタルカメラ）
さて、以上のような本発明のズームレンズで物体像を形成しその像をＣＣＤ等の電子撮像素子に受光させて撮影を行う電子撮影装置、とりわけデジタルカメラやビデオカメラ等に用いることができる。以下に、その実施形態を例示する。
【０２８０】
図１８〜図２０は、本発明によるズームレンズをデジタルカメラの撮影光学系１４１に組み込んだ構成の概念図を示す。図１８はデジタルカメラ１４０の外観を示す前方斜視図、図１９は同後方斜視図、図２０はデジタルカメラ１４０の内部構成を示す概念図である。図２０は、デジタルカメラ１４０の縦方向に直交する断面を上側から見た図であり、ファインダー光学系と前後のカバーガラスの図示を省略している。また、図２０の紙面方向において、ＣＣＤ１４９の有効撮像領域の長辺方向とデジタルカメラ１４０の厚さ方向は互いに一致している。
【０２８１】
デジタルカメラ１４０は、この例の場合、撮影用光路１４２を有する撮影光学系１４１、ファインダー用光路１４４を有するファインダー光学系１４３、シャッター１４５、フラッシュ１４６、液晶表示モニター１４７等を含み、カメラ１４０の上部に配置されたシャッター１４５を押圧すると、それに連動して撮影光学系１４１、例えば実施例１の光路折り曲げズームレンズを通して撮影が行われる。撮影光学系１４１によって形成された物体像が、近赤外カットフィルターと光学的ローパスフィルタＦを介してＣＣＤ１４９の撮像面上に形成される。このＣＣＤ１４９で受光された物体像は、処理手段１５１を介し、電子画像としてカメラ背面に設けられた液晶表示モニター１４７に表示される。また、この処理手段１５１には記録手段１５２が接続され、撮影された電子画像を記録することもできる。なお、この記録手段１５２は処理手段１５１と別体に設けてもよいし、フレキシブルディスクやメモリーカード、ＭＯ等により電子的に記録書込を行うように構成してもよい。また、ＣＣＤ１４９に代わってＣ−ＭＯＳセンサーを用いてもよい。
【０２８２】
さらに、ファインダー用光路１４４上には不図示のファインダー用対物光学系が配置してある。このファインダー用対物光学系によって形成された物体像は、像正立部材であるポロプリズム（不図示）の視野枠（不図示）上に形成される。このポリプリズムの後方には、正立正像にされた像を観察者眼球Ｅに導く接眼光学系（不図示）が配置されている。なお、撮影光学系１４１及びファインダー用対物光学系の入射側、接眼光学系の射出側にそれぞれカバー部材１５０が配置されている。
【０２８３】
このように構成されたデジタルカメラ１４０は、撮影光学系１４１が４倍程度の高変倍比で、明るく、高い光学性能を有するズームレンズであるので、高性能で、奥行き方向が極めて薄い安価なデジタルカメラが実現できる。
【０２８４】
なお、図２０の例では、カバー部材１５０として平行平面板を配置しているが、省いてもよい。
また、本構成では、撮像素子の撮像面の長辺方向と光軸を含む面とが平行となるように反射面を配置している。これに限られず、撮像素子の撮像面の短辺方向と光軸を含む面とが平行となるように反射面を配置している。
【０２８５】
（内部回路構成）
図２１は、上記デジタルカメラ１４０の主要部の内部回路の構成ブロック図である。なお、以下の説明では、上記の処理手段は、例えばＣＤＳ／ＡＤＣ部１２４、一時記憶メモリ１１７、画像処理部１１８等からなり、記憶手段は、例えば記憶媒体部１１９等からなる。
【０２８６】
図２１に示すように、デジタルカメラ１４０は、操作部１１２と、この操作部１１２に接続された制御部１１３と、この制御部１１３の制御信号出力ポートにバス１１４及び１１５を介して接続された撮像駆動回路１１６並びに一時記憶メモリ１１７、画像処理部１１８、記憶媒体部１１９、表示部１２０、及び設定情報記憶メモリ部１２１を備えている。
【０２８７】
上記の一時記憶メモリ１１７、画像処理部１１８、記憶媒体部１１９、表示部１２０、及び設定情報記憶メモリ部１２１は、バス１２２を介して相互にデータの入力又は出力が可能なように構成され、また、撮像駆動回路１１６には、ＣＣＤ１４９とＣＤＳ／ＡＤＣ部１２４が接続されている。
【０２８８】
操作部１１２は各種の入力ボタンやスイッチを備え、これらの入力ボタンやスイッチを介して外部（カメラ使用者）から入力されるイベント情報を制御部に通知する回路である。
【０２８９】
制御部１１３は、例えばＣＰＵ等からなる中央演算処理装置であり、不図示のプログラムメモリを内蔵し、そのプログラムメモリに格納されているプログラムにしたがって、操作部１１２を介してカメラ使用者から入力される指示命令を受けてデジタルカメラ１４０全体を制御する回路である。
【０２９０】
ＣＣＤ１４９は、本発明による撮影光学系１４１を介して形成された物体像を受光する。ＣＣＤ１４９は、撮像駆動回路１１６により駆動制御され、その物体像の各画素ごとの光量を電気信号に変換してＣＤＳ／ＡＤＣ部１２４に出力する撮像素子である。
【０２９１】
ＣＤＳ／ＡＤＣ部１２４は、ＣＣＤ１４９から入力する電気信号を増幅しかつアナログ／デジタル変換を行って、この増幅とデジタル変換を行っただけの映像生データ（ベイヤーデータ、以下ＲＡＷデータという。）を一時記憶メモリ１１７に出力する回路である。
【０２９２】
一時記憶メモリ１１７は、例えばＳＤＲＡＭ等からなるバッファであり、ＣＤＳ／ＡＤＣ部１２４から出力される上記ＲＡＷデータを一時的に記憶するメモリ装置である。画像処理部１１８は、一時記憶メモリ１１７に記憶されたＲＡＷデータ又は記憶媒体部１１９に記憶されているＲＡＷデータを読み出して、制御部１１３から指定された画質パラメータに基づいて歪曲収差補正を含む各種画像処理を電気的に行う回路である。
【０２９３】
記録媒体部１１９は、例えばフラッシュメモリ等からなるカード型又はスティック型の記録媒体を着脱自在に装着して、それらカード型又はスティック型のフラッシュメモリに、一時記憶メモリ１１７から転送されるＲＡＷデータや画像処理部１１８で画像処理された画像データを記録して保持する装置の制御回路である。
【０２９４】
表示部１２０は、液晶表示モニターを備え、その液晶表示モニターに画像や操作メニュー等を表示する回路である。設定情報記憶メモリ部１２１には、予め各種の画質パラメータが格納されているＲＯＭ部と、そのＲＯＭ部から読み出された画質パラメータの中から操作部１１２の入力操作によって選択された画質パラメータを記憶するＲＡＭ部が備えられている。設定情報記憶メモリ部１２１は、それらのメモリへの入出力を制御する回路である。
【０２９５】
このように構成されたデジタルカメラ１４０は、撮影光学系１４１が、本発明により、十分な広角域を有し、コンパクトな構成としながら、明るく、高変倍で、全変倍域で結像性能が極めて安定的であるので、高性能・小型化・広画角化が実現できる。
【産業上の利用可能性】
【０２９６】
以上のように、本発明に係る、光路反射型ズームレンズを備えた撮像装置は、広い画角の確保、高い変倍比の確保、明るさの確保、及び光学性能の維持を同時に行うのに有用である。
【符号の説明】
【０２９７】
Ｇ１…第１レンズ群
Ｇ２…第２レンズ群
Ｇ３…第３レンズ群
Ｇ４…第４レンズ群
Ｇ５…第５レンズ群
Ｇ６…第６レンズ群
Ｓ…開口絞り
Ｆ…ローパスフィルタ
Ｃ…カバーガラス
Ｐ…プリズム
Ｉ…像面
１１２…操作部
１１３…制御部
１１４…バス
１１５…バス
１１６…撮像駆動回路
１１７…一時記憶メモリ
１１８…画像処理部
１１９…記憶媒体部
１２０…表示部
１２１…設定情報記憶メモリ部
１２２…バス
１２４…ＣＤＳ／ＡＤＣ部
１４０…デジタルカメラ
１４１…撮影光学系
１４２…撮影用光路
１４３…ファインダー光学系
１４４…ファインダー用光路
１４５…シャッターボタン
１４６…フラッシュ
１４７…液晶表示モニター
１４９…ＣＣＤ
１５０…カバー部材
１５１…処理手段
１５２…記録手段
【図１】
0005750640.tif 000002
【図２】
0005750640.tif 000003
【図３】
0005750640.tif 000004
【図４】
0005750640.tif 000005
【図５】
0005750640.tif 000006
【図６】
0005750640.tif 000007
【図７】
0005750640.tif 000008
【図８】
0005750640.tif 000009
【図９】
0005750640.tif 000010
【図１０】
0005750640.tif 000011
【図１１】
0005750640.tif 000012
【図１２】
0005750640.tif 000013
【図１３】
0005750640.tif 000014
【図１４】
0005750640.tif 000015
【図１５】
0005750640.tif 000016
【図１６】
0005750640.tif 000017
【図１７】
0005750640.tif 000018
【図１８】
0005750640.tif 000019
【図１９】
0005750640.tif 000020
【図２０】
0005750640.tif 000021
【図２１】
0005750640.tif 000022
【図２２】
0005750640.tif 000023